(57)【要約】無線通信システムにおける端末のアップリンク制御情報（ｕｐｌｉｎｋ  ｃｏｎｔｒｏｌ  ｉｎｆｏｒｍａｔｉｏｎ：ＵＣＩ）送信方法及び前記方法を利用する端末を提供する。前記方法は、前記ＵＣＩ送信のためのコーディングされたシンボルの個数を決定し、前記コーディングされたシンボルの個数に基づいて、前記ＵＣＩを物理アップリンク共有チャネル（ｐｈｙｓｉｃａｌ  ｕｐｌｉｎｋ  ｓｈａｒｅｄ  ｃｈａｎｎｅｌ：ＰＵＳＣＨ）を介して送信し、前記コーディングされたシンボルの個数は、前記ＵＣＩのペイロード大きさ及びコーディング率に関連したオフセット値に基づく第１の値とＲＲＣ（ｒａｄｉｏ  ｒｅｓｏｕｒｃｅ  ｃｏｎｔｒｏｌ）信号に基づいて設定された第２の値の中で決定されることを特徴とする。【選択図】図１４
2020532250.tif 000002
【特許請求の範囲】
【請求項１】
無線通信システムにおける端末のアップリンク制御情報（ｕｐｌｉｎｋ  ｃｏｎｔｒｏｌ  ｉｎｆｏｒｍａｔｉｏｎ：ＵＣＩ）送信方法において、
前記ＵＣＩ送信のためのコーディングされたシンボルの個数を決定し、
前記コーディングされたシンボルの個数に基づいて、前記ＵＣＩを物理アップリンク共有チャネル（ｐｈｙｓｉｃａｌ  ｕｐｌｉｎｋ  ｓｈａｒｅｄ  ｃｈａｎｎｅｌ：ＰＵＳＣＨ）を介して送信し、
前記コーディングされたシンボルの個数は、前記ＵＣＩのペイロード大きさ及びオフセット値に基づく第１の値とＲＲＣ（ｒａｄｉｏ  ｒｅｓｏｕｒｃｅ  ｃｏｎｔｒｏｌ）信号に基づいて設定された第２の値の中で決定されることを特徴とする方法。
【請求項２】
前記ＵＣＩは、前記ＰＵＳＣＨを介してデータと共に送信されることを特徴とする請求項１に記載の方法。
【請求項３】
前記ＵＣＩは、ＡＣＫ／ＮＡＣＫ（ａｃｋｎｏｗｌｅｄｇｅｍｅｎｔ／ｎｅｇａｔｉｖｅ−ａｃｋｎｏｗｌｅｄｇｅｍｅｎｔ）であることを特徴とする請求項１に記載の方法。
【請求項４】
前記ＵＣＩは、チャネル状態情報（ｃｈａｎｎｅｌ  ｓｔａｔｅ  ｉｎｆｏｒｍａｔｉｏｎ：ＣＳＩ）であることを特徴とする請求項１に記載の方法。
【請求項５】
前記ＲＲＣ信号は、前記ＰＵＳＣＨで前記ＵＣＩのために割り当てられるリソース要素の個数を制限するための情報を含むことを特徴とする請求項１に記載の方法。
【請求項６】
前記コーディングされたシンボルの個数は、前記第１の値及び前記第２の値のうち小さい値に決定されることを特徴とする請求項１に記載の方法。
【請求項７】
前記オフセットは、コーディング率（ｃｏｄｅ  ｒａｔｅ）に関連したパラメータであることを特徴とする請求項１に記載の方法。
【請求項８】
前記ＰＵＣＣＨの可用リソース量が前記ＵＣＩの全てを送信することができない場合、  前記ＵＣＩを構成するブロックのうちの一部を、ブロックの優先順位と関連したレベルによってブロック単位に省略することを特徴とする請求項１に記載の方法。
【請求項９】
端末（Ｕｓｅｒ  ｅｑｕｉｐｍｅｎｔ；ＵＥ）は、
無線信号を送信及び受信するトランシーバ（ｔｒａｎｓｃｅｉｖｅｒ）と、
前記トランシーバと結合して動作するプロセッサとを含み、前記プロセッサは、
前記ＵＣＩ送信のためのコーディングされたシンボルの個数を決定し、
前記コーディングされたシンボルの個数に基づいて、前記ＵＣＩを物理アップリンク共有チャネル（ｐｈｙｓｉｃａｌ  ｕｐｌｉｎｋ  ｓｈａｒｅｄ  ｃｈａｎｎｅｌ：ＰＵＳＣＨ）を介して送信し、
前記コーディングされたシンボルの個数は、前記ＵＣＩのペイロード大きさ及びオフセット値に基づく第１の値とＲＲＣ（ｒａｄｉｏ  ｒｅｓｏｕｒｃｅ  ｃｏｎｔｒｏｌ）信号に基づいて設定された第２の値の中で決定されることを特徴とする端末。
【請求項１０】
前記ＵＣＩは、前記ＰＵＳＣＨを介してデータと共に送信されることを特徴とする請求項９に記載の端末。
【請求項１１】
前記ＵＣＩは、ＡＣＫ／ＮＡＣＫ（ａｃｋｎｏｗｌｅｄｇｅｍｅｎｔ／ｎｅｇａｔｉｖｅ−ａｃｋｎｏｗｌｅｄｇｅｍｅｎｔ）であることを特徴とする請求項９に記載の端末。
【請求項１２】
前記ＵＣＩは、チャネル状態情報（ｃｈａｎｎｅｌ  ｓｔａｔｅ  ｉｎｆｏｒｍａｔｉｏｎ：ＣＳＩ）であることを特徴とする請求項９に記載の端末。
【請求項１３】
前記ＲＲＣ信号は、前記ＰＵＳＣＨで前記ＵＣＩのために割り当てられるリソース要素の個数を制限するための情報を含むことを特徴とする請求項９に記載の端末。
【請求項１４】
前記コーディングされたシンボルの個数は、前記第１の値及び前記第２の値のうち小さい値に決定されることを特徴とする請求項９に記載の端末。
【請求項１５】
前記オフセットは、コーディング率（ｃｏｄｅ  ｒａｔｅ）に関連したパラメータであることを特徴とする請求項９に記載の端末。
【請求項１６】
前記ＰＵＣＣＨの可用リソース量が前記ＵＣＩの全てを送信することができない場合、  前記ＵＣＩを構成するブロックのうちの一部を、ブロックの優先順位と関連したレベルによってブロック単位に省略することを特徴とする請求項９に記載の端末。
【発明の詳細な説明】
【技術分野】
【０００１】
本発明は、無線通信に関し、より詳しくは、無線通信システムにおける端末のアップリンク制御情報送信方法及びこの方法を利用する端末に関する。
【背景技術】
【０００２】
より多くの通信機器がより大きい通信容量を要求するにつれて、既存の無線接続技術（ｒａｄｉｏ  ａｃｃｅｓｓ  ｔｅｃｈｎｏｌｏｇｙ；ＲＡＴ）に比べて向上したモバイルブロードバンド（ｍｏｂｉｌｅ  ｂｒｏａｄｂａｎｄ）通信に対する必要性が台頭されている。また、多数の機器及びモノを連結していつでもどこでも多様なサービスを提供するマッシブＭＴＣ（ｍａｓｓｉｖｅ  Ｍａｃｈｉｎｅ  Ｔｙｐｅ  Ｃｏｍｍｕｎｉｃａｔｉｏｎｓ）も次世代通信で考慮される主要案件のうち一つである。
【０００３】
信頼度（ｒｅｌｉａｂｉｌｉｔｙ）及び遅延（ｌａｔｅｎｃｙ）に敏感なサービスまたは端末を考慮した通信システムも論議されており、改善されたモバイルブロードバンド通信、マッシブＭＴＣ、ＵＲＬＬＣ（Ｕｌｔｒａ−Ｒｅｌｉａｂｌｅ  ａｎｄ  Ｌｏｗ  Ｌａｔｅｎｃｙ  Ｃｏｍｍｕｎｉｃａｔｉｏｎ）などを考慮した次世代無線接続技術を新しいＲＡＴ（ｒａｄｉｏ  ａｃｃｅｓｓ  ｔｅｃｈｎｏｌｏｇｙ）またはＮＲ（ｎｅｗ  ｒａｄｉｏ）と呼ぶ。
【０００４】
ＮＲでは、多様なサービスによって可変的なヌメロロジー（Ｎｕｍｅｒｏｌｏｇｙ）を有することができるＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）方式をサポートする方案が考慮されている。即ち、ＮＲシステムでは、時間及び周波数リソース領域毎に互いに独立なヌメロロジーを有するＯＦＤＭ方式（または、多重接続方式）を考慮することができる。
【０００５】
また、ＮＲシステムは、多様なサービスをサポートするために柔軟性（Ｆｌｅｘｉｂｉｌｉｔｙ）を重要な設計哲学として考慮している。例えば、スケジューリング単位をスロットとする時、任意のスロットがＰＤＳＣＨ（ｐｈｙｓｉｃａｌ  ｄｏｗｎｌｉｎｋ  ｓｈａｒｅｄ  ｃｈａｎｎｅｌ、即ち、ダウンリンクデータを送信する物理チャネル）送信スロット（以下、ＤＬスロット）またはＰＵＳＣＨ（ｐｈｙｓｉｃａｌ  ｕｐｌｉｎｋ  ｓｈａｒｅｄ  ｃｈａｎｎｅｌ、即ち、アップリンクデータを送信する物理チャネル）送信スロット（以下、ＵＬスロット）に動的に変更されるようにする構造をサポートすることができる。これを動的ＤＬ／ＵＬ設定をサポートすると表現することもできる。
【０００６】
一方、ＮＲでは、ＵＣＩを物理アップリンク共有チャネル（ｐｈｙｓｉｃａｌ  ｕｐｌｉｎｋ  ｓｈａｒｅｄ  ｃｈａｎｎｅｌ：ＰＵＳＣＨ）を介して送信する技術をサポートする。前記ＵＣＩは、単独に送信されることもでき、データと共に送信されることもできる。ＵＣＩがＰＵＳＣＨを介して送信される場合、前記ＵＣＩのコーディングされたシンボル（より具体的に、コーディングされた変調シンボル）個数を決定しなければならない。このとき、従来技術では、単に前記ＵＣＩのペイロード（ｐａｙｌｏａｄ）大きさに基づいて必要なリソース量とＰＵＳＣＨで前記 ＵＣＩ送信のために割り当てられたリソース量とを単純比較して小さい値に該当するリソース量に基づいて前記コーディングされたシンボル個数を決定した。
【０００７】
しかし、多様な要件を必要とする多様なサービスを提供すべきＮＲでは、このような従来方式を同じく使用することが好ましくない。
【発明の概要】
【発明が解決しようとする課題】
【０００８】
本発明が解決しようとする技術的課題は、無線通信システムにおける端末のアップリンク制御情報送信方法及びこれを利用する端末を提供することにある。
【課題を解決するための手段】
【０００９】
一側面において、無線通信システムにおける端末のアップリンク制御情報（ｕｐｌｉｎｋ  ｃｏｎｔｒｏｌ  ｉｎｆｏｒｍａｔｉｏｎ：ＵＣＩ）送信方法を提供する。前記方法は、前記ＵＣＩ送信のためのコーディングされたシンボルの個数を決定し、前記コーディングされたシンボルの個数に基づいて、前記ＵＣＩを物理アップリンク共有チャネル（ｐｈｙｓｉｃａｌ  ｕｐｌｉｎｋ  ｓｈａｒｅｄ  ｃｈａｎｎｅｌ：ＰＵＳＣＨ）を介して送信し、前記コーディングされたシンボルの個数は、前記ＵＣＩのペイロード大きさ及びオフセット値に基づく第１の値とＲＲＣ（ｒａｄｉｏ  ｒｅｓｏｕｒｃｅ  ｃｏｎｔｒｏｌ）信号に基づいて設定された第２の値の中で決定されることを特徴とする。
【００１０】
前記ＵＣＩは、前記ＰＵＳＣＨを介してデータと共に送信される。
【００１１】
前記ＵＣＩは、ＡＣＫ／ＮＡＣＫ（ａｃｋｎｏｗｌｅｄｇｅｍｅｎｔ／ｎｅｇａｔｉｖｅ−ａｃｋｎｏｗｌｅｄｇｅｍｅｎｔ）である。
【００１２】
前記ＵＣＩは、チャネル状態情報（ｃｈａｎｎｅｌ  ｓｔａｔｅ  ｉｎｆｏｒｍａｔｉｏｎ：ＣＳＩ）である。
【００１３】
前記ＲＲＣ信号は、前記ＰＵＳＣＨで前記ＵＣＩのために割り当てられるリソース要素の個数を制限するための情報を含む。
【００１４】
前記コーディングされたシンボルの個数は、前記第１の値及び前記第２の値のうち小さい値に決定される。
【００１５】
前記オフセットは、コーディング率（ｃｏｄｅ  ｒａｔｅ）に関連したパラメータである。
【００１６】
前記ＰＵＣＣＨの可用リソース量が前記ＵＣＩの全てを送信することができない場合、前記ＵＣＩを構成するブロックのうち一部を、ブロックの優先順位と関連したレベルによってブロック単位に省略する。
【００１７】
他の側面で提供される端末（Ｕｓｅｒ  ｅｑｕｉｐｍｅｎｔ；ＵＥ）は、無線信号を送信及び受信するトランシーバ（ｔｒａｎｓｃｅｉｖｅｒ）、及び前記トランシーバと結合して動作するプロセッサを含み、前記プロセッサは、前記ＵＣＩ送信のためのコーディングされたシンボルの個数を決定し、前記コーディングされたシンボルの個数に基づいて、前記ＵＣＩを物理アップリンク共有チャネル（ｐｈｙｓｉｃａｌ  ｕｐｌｉｎｋ  ｓｈａｒｅｄ  ｃｈａｎｎｅｌ：ＰＵＳＣＨ）を介して送信し、前記コーディングされたシンボルの個数は、前記ＵＣＩのペイロード大きさ及びオフセット値に基づく第１の値とＲＲＣ（ｒａｄｉｏ  ｒｅｓｏｕｒｃｅ  ｃｏｎｔｒｏｌ）信号に基づいて設定された第２の値の中で決定されることを特徴とする。
【発明の効果】
【００１８】
本発明では、ＰＵＳＣＨを介してＵＣＩを送信する場合、前記ＵＣＩのコーディングされたシンボル個数を決定するにあたって、前記ＵＣＩのペイロード（ｐａｙｌｏａｄ）大きさ及びオフセットに基づいて決定されたリソース量と、上位階層信号により設定されたリソース量（より具体的に、ＰＵＳＣＨで前記ＵＣＩ送信のために割り当てられたリソース量を上位階層信号により調節したリソース量）に基づいて決定された値を比較した後、小さい値によって前記コーディングされた変調シンボル個数を決定することができる。このような方法によると、サービス特性や端末／搬送波の特性などを考慮してネットワークが端末のＵＣＩ送信をより適切に制御できるため、ＮＲのようにスケジューリングの柔軟性を重要な設計哲学とするシステムに適する。
【図面の簡単な説明】
【００１９】
【図１】既存無線通信システムを例示する。
【図２】ユーザ平面（ｕｓｅｒ  ｐｌａｎｅ）に対する無線プロトコル構造（ｒａｄｉｏ  ｐｒｏｔｏｃｏｌ  ａｒｃｈｉｔｅｃｔｕｒｅ）を示すブロック図である。
【図３】制御平面（ｃｏｎｔｒｏｌ  ｐｌａｎｅ）に対する無線プロトコル構造を示すブロック図である。
【図４】ＮＲが適用される次世代無線接続ネットワーク（Ｎｅｗ  Ｇｅｎｅｒａｔｉｏｎ  Ｒａｄｉｏ  Ａｃｃｅｓｓ  Ｎｅｔｗｏｒｋ：ＮＧ−ＲＡＮ）のシステム構造を例示する。
【図５】ＮＲで適用されることができるフレーム構造を例示する。
【図６】ＣＯＲＥＳＥＴを例示する。
【図７】従来の制御領域とＮＲでのＣＯＲＥＳＥＴの相違点を示す。
【図８】ＮＲで使われることができるフレーム構造の一例を示す。
【図９】ＴＸＲＵ及び物理的アンテナ観点でハイブリッドビームフォーミング（Ｈｙｂｒｉｄ  ｂｅａｍｆｏｒｍｉｎｇ）構造を抽象的に図式化したものである。
【図１０】ダウンリンク（Ｄｏｗｎｌｉｎｋ；ＤＬ）送信過程で同期化シグナル（Ｓｙｎｃｈｒｏｎｉｚａｔｉｏｎ  ｓｉｇｎａｌ）とシステム情報（Ｓｙｓｔｅｍ  ｉｎｆｏｒｍａｔｉｏｎ）に対して前記ビームスイーピング（Ｂｅａｍ  ｓｗｅｅｐｉｎｇ）動作を図式化したものである。
【図１１】ＣＳＩの種類による優先順位の一例を示す。
【図１２】パート２  ＣＳＩを例示する。
【図１３】本発明の一実施例に係るＣＳＩ送信方式を示す。
【図１４】本発明の他の実施例に係る端末のＵＣＩ送信方法を示す。
【図１５】本発明を実行する送信装置１０及び受信装置２０の構成要素を示すブロック図である。
【図１６】送信装置１０内の信号処理モジュール構造の一例を示す。
【図１７】送信装置１０内の信号処理モジュール構造の他の例を示す。
【図１８】本発明の具現例に係る無線通信装置の一例を示す。
【発明を実施するための形態】
【００２０】
図１は、既存無線通信システムを例示する。これはＥ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）、またはＬＴＥ（Ｌｏｎｇ  Ｔｅｒｍ  Ｅｖｏｌｕｔｉｏｎ）／ＬＴＥ−Ａシステムとも呼ばれる。
【００２１】
Ｅ−ＵＴＲＡＮは、端末（Ｕｓｅｒ  Ｅｑｕｉｐｍｅｎｔ、ＵＥ）１０に制御平面（ｃｏｎｔｒｏｌ  ｐｌａｎｅ）とユーザ平面（ｕｓｅｒ  ｐｌａｎｅ）を提供する基地局（Ｂａｓｅ  Ｓｔａｔｉｏｎ、ＢＳ）２０を含む。端末１０は、固定されてもよいし、移動性を有してもよく、ＭＳ（Ｍｏｂｉｌｅ  ｓｔａｔｉｏｎ）、ＵＴ（Ｕｓｅｒ  Ｔｅｒｍｉｎａｌ）、ＳＳ（Ｓｕｂｓｃｒｉｂｅｒ  Ｓｔａｔｉｏｎ）、ＭＴ（ｍｏｂｉｌｅ  ｔｅｒｍｉｎａｌ）、無線機器（Ｗｉｒｅｌｅｓｓ  Ｄｅｖｉｃｅ）等、他の用語で呼ばれることもある。基地局２０は、端末１０と通信する固定局（ｆｉｘｅｄ  ｓｔａｔｉｏｎ）を意味し、ｅＮＢ（ｅｖｏｌｖｅｄ−ＮｏｄｅＢ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）等、他の用語で呼ばれることもある。
【００２２】
基地局２０は、Ｘ２インターフェースを介して互いに連結されることができる。基地局２０は、Ｓ１インターフェースを介してＥＰＣ（Ｅｖｏｌｖｅｄ  Ｐａｃｋｅｔ  Ｃｏｒｅ）３０、より詳しくは、Ｓ１−ＭＭＥを介してＭＭＥ（Ｍｏｂｉｌｉｔｙ  Ｍａｎａｇｅｍｅｎｔ  Ｅｎｔｉｔｙ）と連結され、Ｓ１−Ｕを介してＳ−ＧＷ（Ｓｅｒｖｉｎｇ  Ｇａｔｅｗａｙ）と連結される。
【００２３】
ＥＰＣ３０は、ＭＭＥ、Ｓ−ＧＷ及びＰ−ＧＷ（Ｐａｃｋｅｔ  Ｄａｔａ  Ｎｅｔｗｏｒｋ−Ｇａｔｅｗａｙ）で構成される。ＭＭＥは、端末の接続情報や端末の能力に対する情報を有しており、このような情報は、端末の移動性管理に主に使われる。Ｓ−ＧＷは、Ｅ−ＵＴＲＡＮを終端点として有するゲートウェイであり、Ｐ−ＧＷは、ＰＤＮを終端点として有するゲートウェイである。
【００２４】
端末とネットワークとの間の無線インターフェースプロトコル（Ｒａｄｉｏ  Ｉｎｔｅｒｆａｃｅ  Ｐｒｏｔｏｃｏｌ）の階層は、通信システムで広く知られた開放型システム間相互接続（Ｏｐｅｎ  Ｓｙｓｔｅｍ  Ｉｎｔｅｒｃｏｎｎｅｃｔｉｏｎ；ＯＳＩ）基準モデルの下位３個階層に基づいてＬ１（第１の階層）、Ｌ２（第２の階層）、Ｌ３（第３の階層）に区分されることができ、そのうち、第１の階層に属する物理階層は、物理チャネル（Ｐｈｙｓｉｃａｌ  Ｃｈａｎｎｅｌ）を利用した情報転送サービス（Ｉｎｆｏｒｍａｔｉｏｎ  Ｔｒａｎｓｆｅｒ  Ｓｅｒｖｉｃｅ）を提供し、第３の階層に位置するＲＲＣ（Ｒａｄｉｏ  Ｒｅｓｏｕｒｃｅ  Ｃｏｎｔｒｏｌ）階層は、端末とネットワークとの間に無線リソースを制御する役割を遂行する。そのために、ＲＲＣ階層は、端末と基地局との間のＲＲＣメッセージを交換する。
【００２５】
図２は、ユーザ平面（ｕｓｅｒ  ｐｌａｎｅ）に対する無線プロトコル構造（ｒａｄｉｏ  ｐｒｏｔｏｃｏｌ  ａｒｃｈｉｔｅｃｔｕｒｅ）を示すブロック図である。図３は、制御平面（ｃｏｎｔｒｏｌ  ｐｌａｎｅ）に対する無線プロトコル構造を示すブロック図である。ユーザ平面は、ユーザデータ送信のためのプロトコルスタック（ｐｒｏｔｏｃｏｌ ｓｔａｃｋ）であり、制御平面は、制御信号送信のためのプロトコルスタックである。
【００２６】
図２及び図３を参照すると、物理階層（ＰＨＹ（ｐｈｙｓｉｃａｌ）  ｌａｙｅｒ）は、物理チャネル（ｐｈｙｓｉｃａｌ  ｃｈａｎｎｅｌ）を利用して上位階層に情報転送サービス（ｉｎｆｏｒｍａｔｉｏｎ  ｔｒａｎｓｆｅｒ  ｓｅｒｖｉｃｅ）を提供する。物理階層は、上位階層であるＭＡＣ（Ｍｅｄｉｕｍ  Ａｃｃｅｓｓ  Ｃｏｎｔｒｏｌ）階層とはトランスポートチャネル（ｔｒａｎｓｐｏｒｔ  ｃｈａｎｎｅｌ）を介して連結されている。トランスポートチャネルを介してＭＡＣ階層と物理階層との間にデータが移動する。トランスポートチャネルは、無線インターフェースを介して、データが、どのように、どのような特徴にトランスポートされるかによって分類される。
【００２７】
互いに異なる物理階層間、即ち、送信機と受信機の物理階層間は、物理チャネルを介してデータが移動する。前記物理チャネルは、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式に変調されることができ、時間と周波数を無線リソースとして活用する。
【００２８】
ＭＡＣ階層の機能は、論理チャネルとトランスポートチャネルとの間のマッピング、及び論理チャネルに属するＭＡＣ  ＳＤＵ（ｓｅｒｖｉｃｅ  ｄａｔａ  ｕｎｉｔ）のトランスポートチャネル上に物理チャネルで提供されるトランスポートブロック（ｔｒａｎｓｐｏｒｔ  ｂｌｏｃｋ）への多重化／逆多重化を含む。ＭＡＣ階層は、論理チャネルを介してＲＬＣ（Ｒａｄｉｏ  Ｌｉｎｋ  Ｃｏｎｔｒｏｌ）階層にサービスを提供する。
【００２９】
ＲＬＣ階層の機能は、ＲＬＣ  ＳＤＵの連結（ｃｏｎｃａｔｅｎａｔｉｏｎ）、分割（ｓｅｇｍｅｎｔａｔｉｏｎ）及び再結合（ｒｅａｓｓｅｍｂｌｙ）を含む。無線ベアラ（Ｒａｄｉｏ  Ｂｅａｒｅｒ；ＲＢ）が要求する多様なＱｏＳ（Ｑｕａｌｉｔｙ  ｏｆ  Ｓｅｒｖｉｃｅ）を保障するために、ＲＬＣ階層は、透明モード（Ｔｒａｎｓｐａｒｅｎｔ  Ｍｏｄｅ、ＴＭ）、非確認モード（Ｕｎａｃｋｎｏｗｌｅｄｇｅｄ  Ｍｏｄｅ、ＵＭ）及び確認モード（Ａｃｋｎｏｗｌｅｄｇｅｄ  Ｍｏｄｅ、ＡＭ）の三つの動作モードを提供する。ＡＭ  ＲＬＣは、ＡＲＱ（ａｕｔｏｍａｔｉｃ  ｒｅｐｅａｔ  ｒｅｑｕｅｓｔ）を介してエラー訂正を提供する。
【００３０】
ＲＲＣ（Ｒａｄｉｏ  Ｒｅｓｏｕｒｃｅ  Ｃｏｎｔｒｏｌ）階層は、制御平面でのみ定義される。ＲＲＣ階層は、無線ベアラの設定（ｃｏｎｆｉｇｕｒａｔｉｏｎ）、再設定（ｒｅ−ｃｏｎｆｉｇｕｒａｔｉｏｎ）及び解除（ｒｅｌｅａｓｅ）と関連して論理チャネル、トランスポートチャネル及び物理チャネルの制御を担当する。ＲＢは、端末とネットワークとの間のデータ伝達のために、第１の階層（ＰＨＹ階層）及び第２の階層（ＭＡＣ階層、ＲＬＣ階層、ＰＤＣＰ階層）により提供される論理的経路を意味する。
【００３１】
ユーザ平面でのＰＤＣＰ（Ｐａｃｋｅｔ  Ｄａｔａ  Ｃｏｎｖｅｒｇｅｎｃｅ  Ｐｒｏｔｏｃｏｌ）階層の機能は、ユーザデータの伝達、ヘッダ圧縮（ｈｅａｄｅｒ  ｃｏｍｐｒｅｓｓｉｏｎ）及び暗号化（ｃｉｐｈｅｒｉｎｇ）を含む。制御平面でのＰＤＣＰ（Ｐａｃｋｅｔ  Ｄａｔａ  Ｃｏｎｖｅｒｇｅｎｃｅ  Ｐｒｏｔｏｃｏｌ）階層の機能は、制御平面データの伝達及び暗号化／完全性保護（ｉｎｔｅｇｒｉｔｙ  ｐｒｏｔｅｃｔｉｏｎ）を含む。
【００３２】
ＲＢが設定されるとは、特定サービスを提供するために、無線プロトコル階層及びチャネルの特性を規定し、それぞれの具体的なパラメータ及び動作方法を設定する過程を意味する。また、ＲＢは、ＳＲＢ（Ｓｉｇｎａｌｉｎｇ  ＲＢ）とＤＲＢ（Ｄａｔａ  ＲＢ）の二つに分けられる。ＳＲＢは、制御平面でＲＲＣメッセージを送信する通路として使われ、ＤＲＢは、ユーザ平面でユーザデータを送信する通路として使われる。
【００３３】
端末のＲＲＣ階層とＥ−ＵＴＲＡＮのＲＲＣ階層との間にＲＲＣ接続（ＲＲＣ  Ｃｏｎｎｅｃｔｉｏｎ）が確立される場合、端末は、ＲＲＣ接続（ＲＲＣ  ｃｏｎｎｅｃｔｅｄ）状態になり、そうでない場合、ＲＲＣアイドル（ＲＲＣ  ｉｄｌｅ）状態になる。
【００３４】
ネットワークから端末にデータを送信するダウンリンクトランスポートチャネルには、システム情報を送信するＢＣＨ（Ｂｒｏａｄｃａｓｔ  Ｃｈａｎｎｅｌ）と、ユーザトラフィックや制御メッセージを送信するダウンリンクＳＣＨ（Ｓｈａｒｅｄ  Ｃｈａｎｎｅｌ）がある。ダウンリンクマルチキャストまたはブロードキャストサービスのトラフィックまたは制御メッセージの場合、ダウンリンクＳＣＨを介して送信されることもでき、または別途のダウンリンクＭＣＨ（Ｍｕｌｔｉｃａｓｔ  Ｃｈａｎｎｅｌ）を介して送信されることもできる。一方、端末からネットワークにデータを送信するアップリンクトランスポートチャネルとしては、初期制御メッセージを送信するＲＡＣＨ（Ｒａｎｄｏｍ  Ａｃｃｅｓｓ  Ｃｈａｎｎｅｌ）と、ユーザトラフィックや制御メッセージを送信するアップリンクＳＣＨ（Ｓｈａｒｅｄ  Ｃｈａｎｎｅｌ）がある。
【００３５】
トランスポートチャネル上位にあり、トランスポートチャネルにマッピングされる論理チャネル（Ｌｏｇｉｃａｌ  Ｃｈａｎｎｅｌ）には、ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＣＣＣＨ（Ｃｏｍｍｏｎ  Ｃｏｎｔｒｏｌ  Ｃｈａｎｎｅｌ）、ＭＣＣＨ（Ｍｕｌｔｉｃａｓｔ  Ｃｏｎｔｒｏｌ  Ｃｈａｎｎｅｌ）、ＭＴＣＨ（Ｍｕｌｔｉｃａｓｔ  Ｔｒａｆｆｉｃ  Ｃｈａｎｎｅｌ）などがある。
【００３６】
物理チャネル（Ｐｈｙｓｉｃａｌ  Ｃｈａｎｎｅｌ）は、時間領域で複数個のＯＦＤＭシンボルと周波数領域で複数個の副搬送波（Ｓｕｂ−ｃａｒｒｉｅｒ）とで構成される。一つのサブフレーム（Ｓｕｂ−ｆｒａｍｅ）は、時間領域で複数のＯＦＤＭシンボル（Ｓｙｍｂｏｌ）で構成される。リソースブロックは、リソース割当単位であり、複数のＯＦＤＭシンボルと複数の副搬送波（ｓｕｂ−ｃａｒｒｉｅｒ）とで構成される。また、各サブフレームは、ＰＤＣＣＨ（Ｐｈｙｓｉｃａｌ  Ｄｏｗｎｌｉｎｋ  Ｃｏｎｔｒｏｌ  Ｃｈａｎｎｅｌ）、即ち、Ｌ１／Ｌ２制御チャネルのために、該当サブフレームの特定ＯＦＤＭシンボル（例えば、１番目のＯＦＤＭシンボル）の特定副搬送波を利用することができる。ＴＴＩ（Ｔｒａｎｓｍｉｓｓｉｏｎ  Ｔｉｍｅ  Ｉｎｔｅｒｖａｌ）は、サブフレーム送信の単位時間である。
【００３７】
以下、新しい無線接続技術（ｎｅｗ  ｒａｄｉｏ  ａｃｃｅｓｓ  ｔｅｃｈｎｏｌｏｇｙ；ｎｅｗ  ＲＡＴ）またはＮＲ（ｎｅｗ  ｒａｄｉｏ）に対して説明する。
【００３８】
より多くの通信機器がより大きい通信容量を要求するにつれて、既存の無線接続技術（ｒａｄｉｏ  ａｃｃｅｓｓ  ｔｅｃｈｎｏｌｏｇｙ；ＲＡＴ）に比べて向上したモバイルブロードバンド（ｍｏｂｉｌｅ  ｂｒｏａｄｂａｎｄ）通信に対する必要性が台頭されている。また、多数の機器及びモノを連結していつでもどこでも多様なサービスを提供するマッシブＭＴＣ（ｍａｓｓｉｖｅ  Ｍａｃｈｉｎｅ  Ｔｙｐｅ  Ｃｏｍｍｕｎｉｃａｔｉｏｎｓ）も次世代通信で考慮される主要案件のうち一つである。それだけでなく、信頼度（ｒｅｌｉａｂｉｌｉｔｙ）及び遅延（ｌａｔｅｎｃｙ）に敏感なサービス／端末を考慮した通信システムデザインが論議されている。このように拡張されたモバイルブロードバンドコミュニケーション（ｅｎｈａｎｃｅｄ  ｍｏｂｉｌｅ  ｂｒｏａｄｂａｎｄ  ｃｏｍｍｕｎｉｃａｔｉｏｎ）、ｍａｓｓｉｖｅ  ＭＴＣ、ＵＲＬＬＣ（Ｕｌｔｒａ−Ｒｅｌｉａｂｌｅ  ａｎｄ  Ｌｏｗ  Ｌａｔｅｎｃｙ  Ｃｏｍｍｕｎｉｃａｔｉｏｎ）などを考慮した次世代無線接続技術の導入が論議されており、本発明では該当技術（ｔｅｃｈｎｏｌｏｇｙ）を便宜上ｎｅｗ  ＲＡＴまたはＮＲと呼ぶ。
【００３９】
図４は、ＮＲが適用される次世代無線接続ネットワーク（Ｎｅｗ  Ｇｅｎｅｒａｔｉｏｎ  Ｒａｄｉｏ  Ａｃｃｅｓｓ  Ｎｅｔｗｏｒｋ：ＮＧ−ＲＡＮ）のシステム構造を例示する。
【００４０】
図４を参照すると、ＮＧ−ＲＡＮは、端末にユーザ平面及び制御平面プロトコル終端（ｔｅｒｍｉｎａｔｉｏｎ）を提供するｇＮＢ及び／またはｅＮＢを含むことができる。図４では、ｇＮＢのみを含む場合を例示する。ｇＮＢ及びｅＮＢは、相互間にＸｎインターフェースを介して連結されている。ｇＮＢ及びｅＮＢは、５世代コアネットワーク（５Ｇ  Ｃｏｒｅ  Ｎｅｔｗｏｒｋ：５ＧＣ）とＮＧインターフェースを介して連結されている。より具体的に、ＡＭＦ（ａｃｃｅｓｓ  ａｎｄ  ｍｏｂｉｌｉｔｙ  ｍａｎａｇｅｍｅｎｔ  ｆｕｎｃｔｉｏｎ）とはＮＧ−Ｃインターフェースを介して連結され、ＵＰＦ（ｕｓｅｒ  ｐｌａｎｅ  ｆｕｎｃｔｉｏｎ）とはＮＧ−Ｕインターフェースを介して連結される。
【００４１】
ｇＮＢは、インターセル間の無線リソース管理（Ｉｎｔｅｒ  Ｃｅｌｌ  ＲＲＭ）、無線ベアラ管理（ＲＢ  ｃｏｎｔｒｏｌ）、接続移動性制御（Ｃｏｎｎｅｃｔｉｏｎ  Ｍｏｂｉｌｉｔｙ  Ｃｏｎｔｒｏｌ）、無線許容制御（Ｒａｄｉｏ  Ａｄｍｉｓｓｉｏｎ  Ｃｏｎｔｒｏｌ）、測定設定及び提供（Ｍｅａｓｕｒｅｍｅｎｔ  ｃｏｎｆｉｇｕｒａｔｉｏｎ＆Ｐｒｏｖｉｓｉｏｎ）、動的リソース割当（ｄｙｎａｍｉｃ  ｒｅｓｏｕｒｃｅ  ａｌｌｏｃａｔｉｏｎ）などの機能を提供することができる。ＡＭＦは、ＮＡＳセキュリティ、アイドル状態移動性処理などの機能を提供することができる。ＵＰＦは、移動性アンカリング（Ｍｏｂｉｌｉｔｙ  Ａｎｃｈｏｒｉｎｇ）、ＰＤＵ処理などの機能を提供することができる。
【００４２】
図５は、ＮＲで適用されることができるフレーム構造を例示する。
【００４３】
図５を参照すると、フレームは、１０ｍｓ（ｍｉｌｌｉｓｅｃｏｎｄ）で構成されることができ、１ｍｓで構成されたサブフレーム１０個を含むことができる。
【００４４】
サブフレーム内には副搬送波間隔（ｓｕｂｃａｒｒｉｅｒ  ｓｐａｃｉｎｇ）によって一つまたは複数のスロット（ｓｌｏｔ）が含まれることができる。
【００４５】
以下の表は、副搬送波間隔設定（ｓｕｂｃａｒｒｉｅｒ  ｓｐａｃｉｎｇ  ｃｏｎｆｉｇｕｒａｔｉｏｎ）μを例示する。
【００４６】
【表１】
2020532250.tif 000003
【００４７】
以下の表は、副搬送波間隔設定（ｓｕｂｃａｒｒｉｅｒ  ｓｐａｃｉｎｇ  ｃｏｎｆｉｇｕｒａｔｉｏｎ）μによって、フレーム内のスロット個数（Ｎｆｒａｍｅ、μｓｌｏｔ）、サブフレーム内のスロット個数（Ｎｓｕｂｆｒａｍｅ、μｓｌｏｔ）、スロット内のシンボル個数（Ｎｓｌｏｔｓｙｍｂ）などを例示する。
【００４８】
【表２】
2020532250.tif 000004
【００４９】
図５では、μ＝０、１、２に対して例示している。
【００５０】
ＰＤＣＣＨ（ｐｈｙｓｉｃａｌ  ｄｏｗｎｌｉｎｋ  ｃｏｎｔｒｏｌ  ｃｈａｎｎｅｌ）は、以下の表のように一つまたはそれ以上のＣＣＥ（ｃｏｎｔｒｏｌ  ｃｈａｎｎｅｌ  ｅｌｅｍｅｎｔ）で構成されることができる。
【００５１】
【表３】
2020532250.tif 000005
【００５２】
即ち、ＰＤＣＣＨは、１、２、４、８または１６個のＣＣＥで構成されるリソースを介して送信されることができる。ここで、ＣＣＥは、６個のＲＥＧ（ｒｅｓｏｕｒｃｅ  ｅｌｅｍｅｎｔ  ｇｒｏｕｐ）で構成され、一つのＲＥＧは、周波数領域で一つのリソースブロック、時間領域で一つのＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルで構成される。
【００５３】
一方、ＮＲでは、制御リソースセット（ｃｏｎｔｒｏｌ  ｒｅｓｏｕｒｃｅ  ｓｅｔ：ＣＯＲＥＳＥＴ）という新しい単位を導入することができる。端末は、ＣＯＲＥＳＥＴでＰＤＣＣＨを受信することができる。
【００５４】
図６は、ＣＯＲＥＳＥＴを例示する。
【００５５】
図６を参照すると、ＣＯＲＥＳＥＴは、周波数領域でＮＣＯＲＥＳＥＴＲＢ個のリソースブロックで構成され、時間領域でＮＣＯＲＥＳＥＴｓｙｍｂ∈｛１、２、３｝個のシンボルで構成されることができる。ＮＣＯＲＥＳＥＴＲＢ、ＮＣＯＲＥＳＥＴｓｙｍｂは、上位階層信号を介して基地局により提供されることができる。図６に示すように、ＣＯＲＥＳＥＴ内には複数のＣＣＥ（または、ＲＥＧ）が含まれることができる。
【００５６】
端末は、ＣＯＲＥＳＥＴ内で、１、２、４、８または１６個のＣＣＥを単位でＰＤＣＣＨ検出を試みることができる。ＰＤＣＣＨ検出を試みることができる一つまたは複数個のＣＣＥをＰＤＣＣＨ候補ということができる。
【００５７】
端末は、複数のＣＯＲＥＳＥＴの設定を受けることができる。
【００５８】
図７は、従来の制御領域とＮＲでのＣＯＲＥＳＥＴの相違点を示す。
【００５９】
図７を参照すると、従来の無線通信システム（例えば、ＬＴＥ／ＬＴＥ−Ａ）での制御領域３００は、基地局が使用するシステム帯域全体にわたって構成された。狭い帯域のみをサポートする一部端末（例えば、ｅＭＴＣ／ＮＢ−ＩｏＴ端末）を除外した全ての端末は、基地局が送信する制御情報を正確に受信／デコーディングするためには前記基地局のシステム帯域全体の無線信号が受信可能でなければならない。
【００６０】
それに対して、ＮＲでは、前述したＣＯＲＥＳＥＴを導入した。ＣＯＲＥＳＥＴ３０１、３０２、３０３は、端末が受信すべき制御情報のための無線リソースということができ、システム帯域全体の代わりに一部のみを使用することができる。基地局は、各端末にＣＯＲＥＳＥＴを割り当てることができ、割り当てたＣＯＲＥＳＥＴを介して制御情報を送信することができる。例えば、図７において、第１のＣＯＲＥＳＥＴ３０１は端末１に割り当て、第２のＣＯＲＥＳＥＴ３０２は端末２に割り当て、第３のＣＯＲＥＳＥＴ３０３は端末３に割り当てることができる。ＮＲでの端末は、システム帯域全体を必ず受信しなくても基地局の制御情報を受信することができる。
【００６１】
ＣＯＲＥＳＥＴには、端末特定的な制御情報を送信するための端末特定的なＣＯＲＥＳＥＴと全ての端末に共通的な制御情報を送信するための共通的なＣＯＲＥＳＥＴがある。
【００６２】
一方、ＮＲでは、応用（Ａｐｐｌｉｃａｔｉｏｎ）分野によっては高い信頼性（ｈｉｇｈ  ｒｅｌｉａｂｉｌｉｔｙ）を要求することができ、このような状況でダウンリンク制御チャネル（例えば、ｐｈｙｓｉｃａｌ  ｄｏｗｎｌｉｎｋ  ｃｏｎｔｒｏｌ  ｃｈａｎｎｅｌ：ＰＤＣＣＨ）を介して送信されるＤＣＩ（ｄｏｗｎｌｉｎｋ  ｃｏｎｔｒｏｌ  ｉｎｆｏｒｍａｔｉｏｎ）に対する目標ＢＬＥＲ（ｂｌｏｃｋ  ｅｒｒｏｒ  ｒａｔｅ）は、従来技術より著しく低くなることができる。このように高い信頼性を要求する要件（ｒｅｑｕｉｒｅｍｅｎｔ）を満たすための方法の一例として、ＤＣＩに含まれる内容（ｃｏｎｔｅｎｔｓ）量を減らし、そして／またはＤＣＩ送信時に使用するリソースの量を増加させることができる。このとき、リソースは、時間領域でのリソース、周波数領域でのリソース、コード領域でのリソース、空間領域でのリソースのうち少なくとも一つを含むことができる。
【００６３】
ＮＲでは、下記の技術／特徴が適用されることができる。
【００６４】
＜セルフコンテインドサブフレーム構造（Ｓｅｌｆ−ｃｏｎｔａｉｎｅｄ  ｓｕｂｆｒａｍｅ  ｓｔｒｕｃｔｕｒｅ）＞
【００６５】
図８は、ＮＲで使われることができるフレーム構造の一例を示す。
【００６６】
ＮＲでは、レイテンシ（ｌａｔｅｎｃｙ）を最小化するための目的として、図８のように、一つのＴＴＩ内に、制御チャネルとデータチャネルがＴＤＭ（ｔｉｍｅ  ｄｉｖｉｓｉｏｎ  ｍｕｌｔｉｐｌｅｘｉｎｇ）される構造がフレーム構造（ｆｒａｍｅ  ｓｔｒｕｃｔｕｒｅ）の一つとして考慮されることができる。
【００６７】
図８において、斜線を引いた領域は、ダウンリンク制御（ｄｏｗｎｌｉｎｋ  ｃｏｎｔｒｏｌ）領域を示し、黒色部分は、アップリンク制御（ｕｐｌｉｎｋ  ｃｏｎｔｒｏｌ）領域を示す。表示がない領域は、ダウンリンクデータ（ｄｏｗｎｌｉｎｋ  ｄａｔａ；ＤＬ  ｄａｔａ）送信のために使われることもでき、アップリンクデータ（ｕｐｌｉｎｋ  ｄａｔａ；ＵＬ  ｄａｔａ）送信のために使われることもできる。このような構造の特徴は、一個のサブフレーム（ｓｕｂｆｒａｍｅ）内でダウンリンク（ＤＬ）送信とアップリンク（ＵＬ）送信が順次に進行され、サブフレーム（ｓｕｂｆｒａｍｅ）内でＤＬ  ｄａｔａを送り、ＵＬ  ＡＣＫ／ＮＡＣＫも受けることができる。結果的に、データ送信エラー発生時にデータ再送信までかかる時間を減らすようになり、それによって、最終データ伝達のレイテンシ（ｌａｔｅｎｃｙ）を最小化することができる。
【００６８】
このようなセルフコンテインドサブフレーム（ｓｅｌｆ−ｃｏｎｔａｉｎｅｄ  ｓｕｂｆｒａｍｅ）構造で、基地局と端末が送信モードから受信モードへの転換過程または受信モードから送信モードへの転換過程のためのタイムギャップ（ｔｉｍｅ  ｇａｐ）が必要である。そのために、セルフコンテインドサブフレーム（ｓｅｌｆ−ｃｏｎｔａｉｎｅｄ  ｓｕｂｆｒａｍｅ）構造で、ＤＬからＵＬに転換される時点の一部ＯＦＤＭシンボルが保護区間（ｇｕａｒｄ  ｐｅｒｉｏｄ；ＧＰ）に設定されることができる。
【００６９】
より詳細に説明すると、ＮＲでのフレーム構造は、例えば、一つのスロット単位内にダウンリンク制御チャネル、ダウンリンクまたはアップリンクデータチャネル、アップリンク制御チャネルなどが全て含まれることができ、これをｓｅｌｆ−ｃｏｎｔａｉｎｅｄ構造と称することができる。このとき、ダウンリンク制御チャネルでは、ダウンリンクデータスケジューリング情報、アップリンクデータスケジューリング情報などが送信されることができ、アップリンク制御チャネルでは、ダウンリンクデータに対するＡＣＫ／ＮＡＣＫ情報、ＣＳＩ情報（変調及びコーディング技法（ｍｏｄｕｌａｔｉｏｎ  ａｎｄ  ｃｏｄｉｎｇ  ｓｃｈｅｍｅ：ＭＣＳ）情報、ＭＩＭＯ送信関連情報等）、スケジューリング要求（ｓｃｈｅｄｕｌｉｎｇ  ｒｅｑｕｅｓｔ：ＳＲ）などが送信されることができる。
【００７０】
制御領域とデータ領域との間にはダウンリンクからアップリンクに（ＤＬ−ｔｏ−ＵＬ）またはアップリンクからダウンリンクに（ＵＬ−ｔｏ−ＤＬ）スイッチングするための時間ギャップ（ｔｉｍｅ  ｇａｐ）が存在できる。
【００７１】
また、一つのスロット内にダウンリンク制御チャネル／ダウンリンクデータチャネル／アップリンクデータチャネル／アップリンク制御チャネルのうち一部は、構成されないこともある。または、一つのスロットを構成するチャネルの順序が変わることができる。（一例として、スロット内のチャネルが、ダウンリンク制御チャネル／ダウンリンクデータチャネル／アップリンク制御チャネル／アップリンクデータチャネルのように構成され、またはアップリンク制御チャネル／アップリンクデータチャネル／ダウンリンク制御チャネル／ダウンリンクデータチャネルの順序に構成されることができる）。
【００７２】
＜アナログビームフォーミング＃１（Ａｎａｌｏｇ  ｂｅａｍｆｏｒｍｉｎｇ＃１）＞
【００７３】
ミリ波（Ｍｉｌｌｉｍｅｔｅｒ  Ｗａｖｅ；ｍｍＷ）では波長が短くなって同じ面積に多数個のアンテナエレメント（ｅｌｅｍｅｎｔ）の設置が可能になる。即ち、３０ＧＨｚ帯域において、波長は１ｃｍであり、４ｂｙ４ｃｍのパネル（ｐａｎｅｌ）に０．５ｌａｍｂｄａ（波長）間隔に２−ｄｉｍｅｎｓｉｏｎ配列形態で総６４（８×８）のアンテナエレメント（ｅｌｅｍｅｎｔ）設置が可能である。したがって、ｍｍＷでは多数個のアンテナエレメント（ｅｌｅｍｅｎｔ）を使用してビームフォーミング（ｂｅａｍｆｏｒｍｉｎｇ；ＢＦ）利得を高めてカバレッジを増加させ、または処理量（ｔｈｒｏｕｇｈｐｕｔ）を高めることができる。
【００７４】
この場合、アンテナエレメント（ｅｌｅｍｅｎｔ）別に送信パワー及び位相調節が可能なようにトランシーバユニット（Ｔｒａｎｓｃｅｉｖｅｒ  Ｕｎｉｔ；ＴＸＲＵ）を有すると、周波数リソース別に独立にビームフォーミング（ｂｅａｍｆｏｒｍｉｎｇ）が可能である。しかし、１００余個のアンテナエレメント（ｅｌｅｍｅｎｔ）の全てにＴＸＲＵを設置するには価格側面で実効性が低下する問題を有するようになる。したがって、一つのＴＸＲＵに多数個のアンテナエレメント（ｅｌｅｍｅｎｔ）をマッピング（ｍａｐｐｉｎｇ）し、アナログフェーズシフタ（ａｎａｌｏｇ  ｐｈａｓｅ  ｓｈｉｆｔｅｒ）でビーム（ｂｅａｍ）の方向を調節する方式が考慮されている。このようなアナログビームフォーミング（ａｎａｌｏｇ  ｂｅａｍｆｏｒｍｉｎｇ）方式は、全帯域において一つのビーム（ｂｅａｍ）方向のみを作ることができて周波数選択的ビームフォーミング（ｂｅａｍｆｏｒｍｉｎｇ）をすることができないという短所を有する。
【００７５】
デジタルビームフォーミング（Ｄｉｇｉｔａｌ  ＢＦ）とアナログビームフォーミング（ａｎａｌｏｇ  ＢＦ）の中間形態としてＱ個のアンテナエレメント（ｅｌｅｍｅｎｔ）より少ない個数であるＢ個のＴＸＲＵを有するハイブリッドビームフォーミング（ｈｙｂｒｉｄ  ＢＦ）を考慮することができる。この場合、Ｂ個のＴＸＲＵとＱ個のアンテナエレメント（ｅｌｅｍｅｎｔ）の連結方式によって異なるが、同時に送信できるｂｅａの方向は、Ｂ個以下に制限される。
【００７６】
＜アナログビームフォーミング＃２（Ａｎａｌｏｇ  ｂｅａｍｆｏｒｍｉｎｇ＃２）＞
【００７７】
ＮＲでは多数のアンテナが使われる場合、デジタルビームフォーミング（Ｄｉｇｉｔａｌ  ｂｅａｍｆｏｒｍｉｎｇ）とアナログビームフォーミング（Ａｎａｌｏｇ  ｂｅａｍｆｏｒｍｉｎｇ）を結合したハイブリッドビームフォーミング（Ｈｙｂｒｉｄ  ｂｅａｍｆｏｒｍｉｎｇ）技法が使われることができる。
【００７８】
このとき、アナログビームフォーミング（Ａｎａｌｏｇ  ｂｅａｍｆｏｒｍｉｎｇ）（または、ＲＦ  ｂｅａｍｆｏｒｍｉｎｇ）は、ＲＦ端でプリコーディング（Ｐｒｅｃｏｄｉｎｇ）（または、コンバイニング（Ｃｏｍｂｉｎｉｎｇ））を実行する動作を意味する。前記ハイブリッドビームフォーミング（Ｈｙｂｒｉｄ  ｂｅａｍｆｏｒｍｉｎｇ）でベースバンド（Ｂａｓｅｂａｎｄ）端とＲＦ端は、各々、プリコーディング（Ｐｒｅｃｏｄｉｎｇ）（または、コンバイニング（Ｃｏｍｂｉｎｉｎｇ））を実行し、それによって、ＲＦチェーン（ｃｈａｉｎ）数とＤ／Ａ（または、Ａ／Ｄ）コンバータ（ｃｏｎｖｅｒｔｅｒ）数を減らしながらも、デジタルビームフォーミング（Ｄｉｇｉｔａｌ  ｂｅａｍｆｏｒｍｉｎｇ）に近接する性能を出すことができるという長所がある。
【００７９】
図９は、ＴＸＲＵ及び物理的アンテナ観点でハイブリッドビームフォーミング（Ｈｙｂｒｉｄ  ｂｅａｍｆｏｒｍｉｎｇ）構造を抽象的に図式化したものである。
【００８０】
ハイブリッドビームフォーミング（Ｈｙｂｒｉｄ  ｂｅａｍｆｏｒｍｉｎｇ）構造は、Ｎ個トランシーバユニット（Ｔｒａｎｓｃｅｉｖｅｒ  ｕｎｉｔ；ＴＸＲＵ）とＭ個の物理的アンテナで表現されることができる。その場合、送信端で送信するＬ個データレイヤ（Ｄａｔａ  ｌａｙｅｒ）に対するデジタルビームフォーミング（Ｄｉｇｉｔａｌ  ｂｅａｍｆｏｒｍｉｎｇ）は、ＮｂｙＬ行列で表現されることができ、以後変換されたＮ個のデジタルシグナル（Ｄｉｇｉｔａｌｓ  ｉｇｎａｌ）は、ＴＸＲＵを経てアナログシグナル（Ａｎａｌｏｇ  ｓｉｇｎａｌ）に変換された後、ＭｂｙＮ行列で表現されるアナログビームフォーミング（Ａｎａｌｏｇ  ｂｅａｍｆｏｒｍｉｎｇ）が適用される。
【００８１】
ＮＲシステムでは、基地局がアナログビームフォーミング（Ａｎａｌｏｇ  ｂｅａｍｆｏｒｍｉｎｇ）をシンボル単位に変更できるように設計することで、特定の地域に位置した端末に一層効率的なビームフォーミング（ｂｅａｍｆｏｒｍｉｎｇ）をサポートする方向を考慮している。さらに、図９において、特定Ｎ個のＴＸＲＵとＭ個のＲＦアンテナを一つのアンテナパネル（ｐａｎｅｌ）に定義する時、前記ＮＲシステムでは、互いに独立なハイブリッドビームフォーミング（Ｈｙｂｒｉｄ  ｂｅａｍｆｏｒｍｉｎｇ）が適用可能な複数のアンテナパネルを導入する方案まで考慮されている。
【００８２】
前記のように基地局が複数のアナログビーム（Ａｎａｌｏｇ  ｂｅａｍ）を活用する場合、端末別に信号受信に有利なアナログビーム（Ａｎａｌｏｇ  ｂｅａｍ）が異なることもあるため、少なくとも同期化シグナル（Ｓｙｎｃｈｒｏｎｉｚａｔｉｏｎ  ｓｉｇｎａｌ）、システム情報（Ｓｙｓｔｅｍ  ｉｎｆｏｒｍａｔｉｏｎ）、ページング（Ｐａｇｉｎｇ）などに対しては特定サブフレーム（Ｓｕｂｆｒａｍｅ；ＳＦ）で基地局が適用する複数アナログビーム（Ａｎａｌｏｇ  ｂｅａｍ）をシンボル別に変えて全ての端末が受信機会を有することができるようにするビームスイーピング（Ｂｅａｍ  ｓｗｅｅｐｉｎｇ）動作が考慮されている。
【００８３】
図１０は、ダウンリンク（Ｄｏｗｎｌｉｎｋ；ＤＬ）送信過程で同期化シグナル（Ｓｙｎｃｈｒｏｎｉｚａｔｉｏｎ  ｓｉｇｎａｌ）とシステム情報（Ｓｙｓｔｅｍ  ｉｎｆｏｒｍａｔｉｏｎ）に対して前記ビームスイーピング（Ｂｅａｍ  ｓｗｅｅｐｉｎｇ）動作を図式化したものである。
【００８４】
図１０において、ＮＲシステムのシステム情報（Ｓｙｓｔｅｍ  ｉｎｆｏｒｍａｔｉｏｎ）がブロードキャスティング（Ｂｒｏａｄｃａｓｔｉｎｇ）方式に送信される物理的リソース（または、物理チャネル）をｘＰＢＣＨ（ｐｈｙｓｉｃａｌ  ｂｒｏａｄｃａｓｔ  ｃｈａｎｎｅｌ）と命名した。このとき、一シンボル内で互いに異なるアンテナパネルに属するアナログビーム（Ａｎａｌｏｇ  ｂｅａｍ）は、同時送信されることができ、アナログビーム（Ａｎａｌｏｇ  ｂｅａｍ）別チャネルを測定するために、図１０で図式化されたように（特定アンテナパネルに対応される）単一アナログビーム（Ａｎａｌｏｇ  ｂｅａｍ）が適用されて送信される参照信号（Ｒｅｆｅｒｅｎｃｅ  ｓｉｇｎａｌ；ＲＳ）であるビームＲＳ（Ｂｅａｍ  ＲＳ；ＢＲＳ）を導入する方案が論議されている。前記ＢＲＳは、複数のアンテナポートに対して定義されることができ、ＢＲＳの各アンテナポートは、単一アナログビーム（Ａｎａｌｏｇ  ｂｅａｍ）に対応されることができる。このとき、ＢＲＳとは違って同期化シグナル（Ｓｙｎｃｈｒｏｎｉｚａｔｉｏｎ  ｓｉｇｎａｌ）またはｘＰＢＣＨは、任意の端末がよく受信できるようにアナログビームグループ（Ａｎａｌｏｇ  ｂｅａｍ  ｇｒｏｕｐ）内の全てのアナログビーム（Ａｎａｌｏｇ  ｂｅａｍ）が適用されて送信されることができる。
【００８５】
［ＬＴＥでＲＲＭ（ｒａｄｉｏ  ｒｅｓｏｕｒｃｅ  ｍａｎａｇｅｍｅｎｔ）測定］
【００８６】
ＬＴＥシステムでは、電力制御、スケジューリング、セル検索、セル再選択、ハンドオーバ（Ｈａｎｄｏｖｅｒ）、無線リンクまたは連結モニタリング（Ｒａｄｉｏ  ｌｉｎｋ  ｏｒ  Ｃｏｎｎｅｃｔｉｏｎ  ｍｏｎｉｔｏｒｉｎｇ）、接続確立／再確立（Ｃｏｎｎｅｃｔｉｏｎ  ｅｓｔａｂｌｉｓｈ／ｒｅ−ｅｓｔａｂｌｉｓｈ）などを含むＲＲＭ動作をサポートする。このとき、サービングセルは、端末にＲＲＭ動作を実行するための測定値であるＲＲＭ測定情報を要求することができ、代表的に、ＬＴＥシステムでは、端末が各セルに対するセル検索情報、ＲＳＲＰ（ｒｅｆｅｒｅｎｃｅ  ｓｉｇｎａｌ  ｒｅｃｅｉｖｅｄ  ｐｏｗｅｒ）、ＲＳＲＱ（ｒｅｆｅｒｅｎｃｅ  ｓｉｇｎａｌ  ｒｅｃｅｉｖｅｄ  ｑｕａｌｉｔｙ）などの情報を測定して報告できる。
【００８７】
具体的に、ＬＴＥシステムにおいて、端末は、サービングセルからＲＲＭ測定のための上位階層信号として‘ｍｅａｓＣｏｎｆｉｇ’の伝達を受ける。端末は、前記‘ｍｅａｓＣｏｎｆｉｇ’の情報によってＲＳＲＰまたはＲＳＲＱを測定する。ＲＳＲＰとＲＳＲＱの定義は、下記の通りである。
【００８８】
ＲＳＲＰは、考慮される測定周波数帯域内で、セル特定的参照信号を伝送するリソース要素の電力寄与（ｐｏｗｅｒ  ｃｏｎｔｒｉｂｕｔｉｏｎ）の線形平均に定義されることができる。
【００８９】
ＲＳＲＱは、ＮｘＲＳＲＰ／（Ｅ−ＵＴＲＡ搬送波ＲＳＳＩ）に定義されることができる。Ｎは、Ｅ−ＵＴＲＡ搬送波ＲＳＳＩ測定帯域のリソースブロックの個数である。
【００９０】
ＲＳＳＩは、測定帯域内で、熱雑音及び雑音を含む受信された広帯域電力を意味する。
【００９１】
前記定義によって、前記ＬＴＥシステムで動作する端末は、周波数内測定（Ｉｎｔｒａ−ｆｒｅｑｕｅｎｃｙ  ｍｅａｓｕｒｅｍｅｎｔ）である場合、ＳＩＢ３（ｓｙｓｔｅｍ  ｉｎｆｏｒｍａｔｉｏｎ  ｂｌｏｃｋ  ｔｙｐｅ３）で送信される許容された測定帯域関連ＩＥ（ｉｎｆｏｒｍａｔｉｏｎ  ｅｌｅｍｅｎｔ）を介して、周波数間測定（Ｉｎｔｅｒ−ｆｒｅｑｕｅｎｃｙ  ｍｅａｓｕｒｅｍｅｎｔ）である場合、ＳＩＢ５で送信される許容された測定帯域を介して、６、１５、２５、５０、７５、１００ＲＢ（ｒｅｓｏｕｒｃｅ  ｂｌｏｃｋ）のうち一つに対応される帯域でＲＳＲＰを測定するように許容され、または前記ＩＥがない場合、デフォルトで全体ＤＬ（ｄｏｗｎｌｉｎｋ）システムの周波数帯域で測定できる。
【００９２】
このとき、端末が許容された測定帯域を受信する場合、端末は、該当値を最大測定帯域と見なして該当値以内で自由にＲＳＲＰの値を測定することができる。ただし、サービングセルが広帯域−ＲＳＲＱに定義されるＩＥを送信し、許容された測定帯域を５０ＲＢ以上に設定すると、端末は、全体許容された測定帯域に対するＲＳＲＰ値を計算しなければならない。一方、ＲＳＳＩに対しては、ＲＳＳＩ帯域の定義によって端末の受信機が有する周波数帯域で測定する。
【００９３】
本発明は、ＮＲシステムにおいて、ＣＳＩ（ｃｈａｎｎｅｌ  ｓｔａｔｅ  ｉｎｆｏｒｍａｔｉｏｎ）をアップリンクチャネル（例えば、ＰＵＳＣＨ、ＰＵＣＣＨ）を介して送信する方法に関する。
【００９４】
一層多くの通信機器がより一層大きい通信容量を要求するにつれて、既存の無線接続技術に比べて向上した移動広帯域（ｍｏｂｉｌｅ  ｂｒｏａｄｂａｎｄ）通信に対する必要性が台頭されている。また、多数の機器及びモノを連結していつでもどこでも多様なサービスを提供するマッシブ（ｍａｓｓｉｖｅ  Ｍａｃｈｉｎｅ  Ｔｙｐｅ  Ｃｏｍｍｕｎｉｃａｔｉｏｎｓ、ｍａｓｓｉｖｅ  ＭＴＣ）も次世代通信で考慮される主要案件のうち一つである。それだけでなく、信頼性（ｒｅｌｉａｂｉｌｉｔｙ）及び遅延（ｌａｔｅｎｃｙ）に敏感なサービス／端末を考慮した通信システムデザインが論議されている。このように改善された移動広帯域通信（ｅｎｈａｎｃｅｄ  ｍｏｂｉｌｅ  ｂｒｏａｄｂａｎｄ  ｃｏｍｍｕｎｉｃａｔｉｏｎ）、マッシブＭＴＣ、ＵＲＬＬＣ（Ｕｌｔｒａ−Ｒｅｌｉａｂｌｅ  ａｎｄ  Ｌｏｗ  Ｌａｔｅｎｃｙ  Ｃｏｍｍｕｎｉｃａｔｉｏｎ）などを考慮した次世代無線接続技術の導入が論議されており、以下、便宜上、このような技術をＮＲ（ｎｅｗ  ｒａｄｉｏ）という。
【００９５】
［帯域部分（Ｂａｎｄｗｉｄｔｈ  ｐａｒｔ：ＢＷＰ）］
【００９６】
ＮＲシステムでは、一つのコンポーネントキャリア（ｃｏｍｐｏｎｅｎｔ  ｃａｒｒｉｅｒ：ＣＣ）当たり最大４００ＭＨｚまでサポートされることができる。このような広帯域ＣＣで動作する端末が、もし、常にＣＣ全体に対するＲＦ（ｒａｄｉｏ  ｆｒｅｑｕｅｎｃｙ）部をオンにしたまま動作する場合、端末のバッテリ消耗が大きくなることができる。
【００９７】
一つの広帯域ＣＣ内に動作する多様な使用例（例えば、ｅＭＢＢ、ＵＲＬＬＣ、ｍＭＴＣ等）を考慮する時、該当ＣＣ内に周波数帯域別に互いに異なるヌメロロジー（ｎｕｍｅｒｏｌｏｇｙ、例えば、副搬送波間隔）がサポートされることができる。
【００９８】
また、端末別にサポートできる最大帯域に対する能力（ｃａｐａｂｉｌｉｔｙ）が異なることもある。これを考慮して、基地局は、広帯域ＣＣの全体帯域幅でない一部帯域幅でのみ動作するように端末に指示でき、前記一部帯域幅を便宜上帯域部分（ｂａｎｄｗｉｄｔｈ  ｐａｒｔ：ＢＷＰ）と称することができる。ＢＷＰは、周波数軸上で連続したリソースブロック（ｒｅｓｏｕｒｃｅ  ｂｌｏｃｋ：ＲＢ）で構成されることができ、一つのヌメロロジー（例えば、副搬送波間隔、ＣＰ長さ、スロット／ミニスロット間隔）に対応されることができる。
【００９９】
一方、基地局は、端末に設定された一つのＣＣ内でも多数のＢＷＰを設定することができる。一例として、ＰＤＣＣＨをモニタリングするＰＤＣＣＨモニタリングスロットでは相対的に小さい周波数帯域を占めるＢＷＰを設定し、ＰＤＣＣＨで指示するＰＤＳＣＨは、それより大きい帯域を占めるＢＷＰ上にスケジューリングされることができる。
【０１００】
または、特定ＢＷＰに端末が集中される場合、負荷の均衡（ｌｏａｄ  ｂａｌａｎｃｉｎｇ）のために一部端末を他のＢＷＰに設定できる。または、隣接セル間の周波数領域セル間干渉除去（ｆｒｅｑｕｅｎｃｙ  ｄｏｍａｉｎ  ｉｎｔｅｒ−ｃｅｌｌ  ｉｎｔｅｒｆｅｒｅｎｃｅ  ｃａｎｃｅｌｌａｔｉｏｎ）等を考慮して全体帯域幅のうち中央の一部帯域（ｓｐｅｃｔｒｕｍ）を排除した後、残りの両側ＢＷＰを同じスロット内で設定することもできる。即ち、基地局は、広帯域ＣＣと関連（ａｓｓｏｃｉａｔｉｏｎ）した端末に少なくとも一つのＤＬ／ＵＬ  ＢＷＰを設定することができ、特定時点に前記設定されたＤＬ／ＵＬ  ＢＷＰ（ｓ）のうち少なくとも一つのＤＬ／ＵＬ  ＢＷＰを物理階層シグナリングまたはＭＡＣ  ＣＥ（ｃｏｎｔｒｏｌ  ｅｌｅｍｅｎｔ）またはＲＲＣシグナリングなどにより活性化（ａｃｔｉｖａｔｉｏｎ）させることができる。このとき、活性化されたＤＬ／ＵＬ  ＢＷＰを活性（ａｃｔｉｖｅ）ＤＬ／ＵＬ  ＢＷＰと称する。
【０１０１】
しかし、端末が初期接続（ｉｎｉｔｉａｌ  ａｃｃｅｓｓ）過程にあり、またはＲＲＣ接続が確立される前などの状況ではＤＬ／ＵＬ  ＢＷＰに対する設定を受信することができない場合もあり、このような状況で端末が仮定するＤＬ／ＵＬ  ＢＷＰを初期活性（ｉｎｉｔｉａｌ  ａｃｔｉｖｅ）ＤＬ／ＵＬ  ＢＷＰと称する。
【０１０２】
ＵＣＩ（ｕｐｌｉｎｋ  ｃｏｎｔｒｏｌ  ｉｎｆｏｒｍａｔｉｏｎ）は、場合によって、ＰＵＳＣＨを介して送信されることもできる。
【０１０３】
ＵＣＩのうち、ＣＳＩは、パート１  ＣＳＩ、パート２  ＣＳＩに区分されることができる。パート１  ＣＳＩは、ＣＳＩまたはＳＳＢインデックス、ランク指示子（ｒａｎｋ  ｉｎｄｉｃａｔｏｒ）、レイヤ指示子（ｌａｙｅｒ  ｉｎｄｉｃａｔｏｒ）、広帯域ＣＱＩ、１番目の送信ブロックに対するサブバンド差分ＣＱＩ（ｓｕｂｂａｎｄ  ｄｉｆｆｅｒｅｎｔｉａｌ  ＣＱＩ）、特定レイヤに対するゼロ値でない広帯域振幅係数の個数（Ｉｎｄｉｃａｔｏｒ  ｏｆ  ｔｈｅ  ｎｕｍｂｅｒ  ｏｆ  ｎｏｎ−ｚｅｒｏ  ｗｉｄｅｂａｎｄ  ａｍｐｌｉｔｕｄｅ  ｃｏｅｆｆｉｃｉｅｎｔｓ）、ＲＳＲＰ、差分ＲＳＲＰのうち少なくとも一つを含むことができる。パート２  ＣＳＩは、２番目の送信ブロックに対する広帯域ＣＱＩ、ＰＭＩ関連情報、２番目の送信ブロックに対するサブバンド差分ＣＱＩ、ＰＭＩサブバンド関連情報のうち少なくとも一つを含むことができる。
【０１０４】
以下、本発明に対して説明する。
【０１０５】
ＮＲシステムでは、ＨＡＲＱ−ＡＣＫ、ＣＳＩ（ｃｈａｎｎｅｌ  ｓｔａｔｅ  ｉｎｆｏｒｍａｔｉｏｎ）、ＳＲ（ｓｃｈｅｄｕｌｉｎｇ  ｒｅｑｕｅｓｔ）、ビーム関連情報のうち少なくとも一つを含むアップリンク制御情報（ｕｐｌｉｎｋ  ｃｏｎｔｒｏｌ  ｉｎｆｏｒｍａｔｉｏｎ：ＵＣＩ）が送信されるＰＵＣＣＨ（ｐｈｙｓｉｃａｌ  ｕｐｌｉｎｋ  ｃｏｎｔｒｏｌ  ｃｈａｎｎｅｌ）が定義されることができる。
【０１０６】
ＰＵＣＣＨには、短い長さのＰＵＣＣＨ（以下、便宜上、ｓｈｏｒｔ  ＰＵＣＣＨまたは短いＰＵＣＣＨと称することができる）と相対的に長い長さのＰＵＣＣＨ（以下、便宜上、ｌｏｎｇ  ＰＵＣＣＨまたは長いＰＵＣＣＨと称することができる）がある。Ｓｈｏｒｔ  ＰＵＣＣＨは、１４個シンボルで構成された一つのスロット内で１個または２個のシンボルを介して送信される相対的に短い長さのＰＵＣＣＨである。ｌｏｎｇ  ＰＵＣＣＨは、前記スロット内で４個のシンボル以上を介して送信される相対的に長い長さのＰＵＣＣＨである。
【０１０７】
また、ＵＬデータが送信されるＰＵＳＣＨ（ｐｈｙｓｉｃａｌ  ｕｐｌｉｎｋ  ｓｈａｒｅｄ  ｃｈａｎｎｅｌ）を介してもＵＣＩが送信されることができ、この場合、データと共にＵＣＩが送信され、またはデータなしでＵＣＩのみが送信されることもできる。データが送信されるＰＵＳＣＨを介してＵＣＩが前記データと共に送信される場合、ＵＣＩをＰＵＳＣＨにピギーバック（ｐｉｇｇｙｂａｃｋ）すると表現することもある。
【０１０８】
ＮＲシステムにおいて、ＣＳＩは、大いに、二つのタイプに区分されることができる。前記二つのタイプのＣＳＩを各々タイプ１  ＣＳＩ、タイプ２  ＣＳＩと称する。
【０１０９】
タイプ１  ＣＳＩ及びタイプ２  ＣＳＩの両方ともコードブック（ｃｏｄｅｂｏｏｋ）ベースのＣＳＩレポート方式にフィードバックされることができる。例えば、タイプ１  ＣＳＩは、一般的な空間解像度（ｎｏｒｍａｌ  ｓｐａｔｉａｌ  ｒｅｓｏｌｕｔｉｏｎ）を有するＰＭＩ（ｐｒｅｃｏｄｉｎｇ  ｍａｔｒｉｘ  ｉｎｄｉｃａｔｏｒ）フィードバック方式であり、相対的に小さいペイロード大きさを必要とすることができる。タイプ２  ＣＳＩは、より高い空間解像度を有するフィードバック方式であり、タイプ１  ＣＳＩに比べて相対的に大きいペイロード大きさを必要とすることができる。
【０１１０】
各タイプのＣＳＩは、測定を実行する帯域（ｂａｎｄｗｉｄｔｈ）の大きさによって、大いに、広帯域（ｗｉｄｅｂａｎｄ：ＷＢ）＞部分帯域（ｐａｒｔｉａｌ  ｂａｎｄ：ＰＢ）＞サブバンド（ｓｕｂｂａｎｄ：ＳＢ）の三つのレポーティング方法を有することができる。前記ＰＢまたは前記ＷＢは、活性ＢＷＰを意味することができる。前記ＷＢは、ＰＢより大きい帯域幅を意味し、ＳＢは、ＰＢより小さい帯域幅を意味することができる。
【０１１１】
各タイプのＣＳＩは、大いに、二つのパート（ｐａｒｔ）に構成されることができ、パート１  ＣＳＩは、例えば、ランク（ｒａｎｋ）情報などが載せられることができ、そのペイロード大きさが可変的でないが、パート２  ＣＳＩは、例えば、広帯域ＣＳＩ、偶数番目のサブバンドのサブバンドＣＳＩ、奇数番目のサブバンドのサブバンドＣＳＩなどがあり、パート１  ＣＳＩ情報によって（例えば、ランク値によって）そのペイロード大きさが可変的である。
【０１１２】
また、ＣＳＩレポーティングの周期性によって、周期的（ｐｅｒｉｏｄｉｃ）／半静的（ｓｅｍｉ−ｐｅｒｓｉｓｔｅｎｔ）／非周期的（ａｐｅｒｉｏｄｉｃ）ＣＳＩレポーティング方法が存在できる。
【０１１３】
特に、パート２  ＣＳＩのようにペイロード大きさが大きいＵＣＩの場合、送信されるＰＵＣＣＨ及び／またはＰＵＳＣＨのリソース領域の大きさによって、全ての情報が載せられずに一部情報を省略（ｏｍｉｔ）したまま送信されることができる。例えば、パート２  ＣＳＩは、広帯域ＣＳＩ、偶数番目のサブバンドのサブバンドＣＳＩ、奇数番目のサブバンドのサブバンドＣＳＩなどのように多様な種類があり、ＣＳＩレポートの番号／インデックスによって各々生成されることができる。このとき、パート２  ＣＳＩは、優先順位によって区分されることができ、これをパート２  ＣＳＩのための優先順位レポーティングレベル（Ｐｒｉｏｒｉｔｙ  ｒｅｐｏｒｔｉｎｇ  ｌｅｖｅｌｓ  ｆｏｒ  Ｐａｒｔ２  ＣＳＩ）で表現することもある。
【０１１４】
図１１は、ＣＳＩの種類による優先順位の一例を示す。
【０１１５】
図１１を参照すると、一つのスロットでレポートするＣＳＩ種類の個数がＮ（Ｎ値は、例えば、ＣＳＩプロセスインデックス、ＣＣインデックスと連動されることができる）とする時、ＣＳＩの種類がＷＢ  ＣＳＩか、またはＳＢ  ＣＳＩか等によって全体パート２  ＣＳＩに対する優先順位が決定され、全てのＣＳＩを送信することができない場合、優先順位が低いブロックから順次に省略（ｏｍｉｔ）されることができる。
【０１１６】
また、ＮＲシステムにおいて、ＰＵＳＣＨにＵＣＩをピギーバックして送信する場合、ＵＣＩ種類及び該当ＵＣＩのペイロード大きさ別にオフセット（以下、これをｂｅｔａ＿ｏｆｆｓｅｔと称することもできる）値が設定されることができる。前記設定は、ＲＲＣ信号による半静的設定及び／またはＵＬグラントによる動的設定である。
【０１１７】
前記オフセット値は、ＵＣＩピギーバックに対するコーディング率（ｃｏｄｉｎｇ  ｒａｔｅ）調整のためのパラメータである。具体的に、前記オフセット値は、ＨＡＲＱ−ＡＣＫ／パート１  ＣＳＩ／パート２  ＣＳＩによって個別的に各々設定（例えば、βＨＡＲＱ−ＡＣＫｏｆｆｓｅｔ／βＣＳＩ−ｐａｒｔ１ｏｆｆｓｅｔ／βＣＳＩ−ｐａｒｔ２ｏｆｆｓｅｔ）されることができ、ＨＡＲＱ−ＡＣＫの場合は、３ビット未満／３ビット以上１１ビット以下／１１ビット超過のように、ペイロード大きさによって別途のオフセット値が設定されることもできる。
【０１１８】
また、パート１  ＣＳＩ及びパート２  ＣＳＩも、各々、１１ビット以下／１１ビット超過のように、ペイロード大きさによって別途のオフセット値が設定されることができる。
【０１１９】
以下の数式は、特定ＵＣＩ（例えば、ＨＡＲＱ−ＡＣＫ、ＣＳＩ等）が載せられるコーディングされたシンボル（ｃｏｄｅｄ  ｓｙｍｂｏｌ）個数（より具体的に、コーディングされた変調シンボル個数）（Ｑ′）を示す数式の一例である。
【０１２０】
【数１】
2020532250.tif 000006
【０１２１】
前記数式において、ｍｉｎ（Ａ、Ｂ）はＡ、Ｂのうち小さいものを示す。Ｏは該当ＵＣＩのペイロード大きさ、ＭＰＵＳＣＨｓｃはＰＵＳＣＨに割り当てられた周波数軸上のリソース領域大きさ（副搬送波個数）、ＮＰＵＳＣＨｓｙｍｂはＰＵＳＣＨに割り当てられた時間軸上のリソース領域大きさ（シンボル個数）、Ｋｒはコードブロック（ｃｏｄｅ  ｂｌｏｃｋ）ｒの情報ビット大きさ（個数）を意味することができる。
【０１２２】
前記数式によると、該当ＵＣＩは、割り当てられたＰＵＳＣＨ領域内の最大４シンボルの間に送信されることができ、オフセット（βＰＵＳＣＨｏｆｆｓｅｔ：ｂｅｔａ＿ｏｆｆｓｅｔ）値が大きいほど該当ＵＣＩに対してより多くのコーディングされたシンボルが送信されることができる（即ち、コーディング率が小さくなる）を意味することができる。
【０１２３】
ＮＲシステムにおいて、ＣＳＩ情報及び他のＵＣＩ情報（例えば、ＡＣＫ／ＮＡＣＫ）がＰＵＣＣＨ及び／またはＰＵＳＣＨに載せる時、個別エンコーディング（ｓｅｐａｒａｔｅ  ｅｎｃｏｄｉｎｇ）された後にマッピングされる方法を提案する。また、パート２  ＣＳＩのようにペイロード大きさが相当大きいＵＣＩの場合、送信されるＰＵＣＣＨ及び／またはＰＵＳＣＨのリソース領域の大きさによって全ての情報が載せられずに一部情報を省略したまま送信されることができ、このとき、どのような情報をどのような方式に省略するかに対しても提案する。
【０１２４】
＜データが載せられるＰＵＳＣＨへのＵＣＩピギーバック＞
【０１２５】
ＮＲシステムにおいて、ＰＵＳＣＨを介して送信されるＣＳＩ、例えば、パート１  ＣＳＩとパート２  ＣＳＩは、個別エンコーディング（ｓｅｐａｒａｔｅ  ｅｎｃｏｄｉｎｇ）されることができる。データが含まれているＰＵＳＣＨ上にＵＣＩがピギーバック（ｐｉｇｇｙｂａｃｋ）される時、パート２  ＣＳＩのうち一部が省略されることができる。例えば、ＰＵＳＣＨ上にＵＣＩがピギーバックされて送信される時、パート１  ＣＳＩは（全て）送信し、パート２  ＣＳＩのうち一部（または、全部）は送信を省略することができる。即ち、ＰＵＳＣＨ上にＵＣＩがピギーバックされる時、パート１  ＣＳＩの処理方法とパート２  ＣＳＩの処理方法が互いに異なり、または独立であるということを意味することができる。
【０１２６】
［方法１−ａ］パート２  ＣＳＩが送信されることができる最大ＰＵＳＣＨデータシンボル個数（または、最大ＲＥ（リソース要素、ｒｅｓｏｕｒｃｅ  ｅｌｅｍｅｎｔ）個数または最大コーディングされた（変調）シンボル個数）を制限することができる。前述したオフセット（ｂｅｔａ＿ｏｆｆｓｅｔ）及び（送信する）パート２  ＣＳＩのペイロード大きさに基づいて計算された全てのパート２  ＣＳＩの送信に必要なコーディングされた（変調）シンボルの個数Ｑ個に対して、もし、Ｑ個を前記制限されたＰＵＳＣＨデータシンボル個数（または、最大ＲＥ個数または最大コーディングされたシンボル個数）を介して送信することが不可能な場合、送信が可能なほど、高い優先順位のパート２  ＣＳＩブロック（ら）のみを送信することができる。
【０１２７】
それに対して、前記全てのパート２  ＣＳＩの送信に必要なＱ個のコーディングされたシンボルを、前記制限されたＰＵＳＣＨデータシンボル個数（または、最大ＲＥ個数または最大コーディングされたシンボル個数）を介して送信することが可能な場合、全てのパート２  ＣＳＩ情報を前記オフセット（ｂｅｔａ＿ｏｆｆｓｅｔ）に基づいて計算されたコーディングされたシンボル個数を介して送信できる。
【０１２８】
パート２  ＣＳＩに含まれることができるＣＳＩ及び前記ＣＳＩの優先順位は、以下の表の通りである。
【０１２９】
【表４】
2020532250.tif 000007
【０１３０】
前記表４において、ＮＲｅｐは一つのスロットでのＣＳＩレポート個数を示す。優先順位（Ｐｒｉｏｒｉｔｙ）０が最も高い優先順位を有し、優先順位２ＮＲｅｐが最も低い優先順位を有する。同じ優先順位を有するＣＳＩを同じレベル（ｌｅｖｅｌ）を有していると表現することもできる。ＣＳＩレポート番号は、関連したＲｅｐｏｒｔＣｏｎｆｉｇＩＤの順序に対応されることができる。特定優先順位を有するパート２  ＣＳＩ情報を省略する時、端末は、前記特定優先順位の全ての情報を省略することができる。
【０１３１】
図１２は、パート２  ＣＳＩを例示する。
【０１３２】
図１２を参照すると、パート２  ＣＳＩはブロック＃１、＃２、＃３を構成することができ、ブロック＃１は２０ビット、ブロック＃２は３０ビット、ブロック＃３は３０ビットで構成されることができる。ブロック＃１には広帯域ＣＳＩ、ブロック＃２には偶数番目のリソースのサブバンドＣＳＩ、ブロック＃３には奇数番目リソースのサブバンドＣＳＩを含むことができる。
【０１３３】
このような場合、例えば、前記パート２  ＣＳＩが送信されることができる最大ＰＵＳＣＨデータシンボル個数が３個に制限（即ち、時間領域で３個のＯＦＤＭシンボルに制限）され、前記ＰＵＳＣＨが１０個のリソースブロックにわたってスケジューリングされた場合、前記パート２  ＣＳＩのための最大コーディングされたシンボル個数（または、リソース要素）は、３６０（＝３＊１０＊１２）個である。オフセット（Ｂｅｔａ＿ｏｆｆｓｅｔ）と送信するパート２  ＣＳＩペイロード大きさ（図１２の例示では８０ビット）に基づいて計算された全てのパート２  ＣＳＩ送信に必要なコーディングされたシンボル個数（Ｑ）が前記最大コーディングされたシンボル個数より大きい場合、前記ブロック＃１、＃２、＃３のうち一部ブロックを省略しなければならない。即ち、パート２  ＣＳＩは、全体パート２  ＣＳＩをＰＵＳＣＨを介して送信できない場合、優先順位によってレベル別に優先順位が低いパート２  ＣＳＩを省略することができる。このとき、該当パート２  ＣＳＩの一部ビットのみを省略するものではなく、優先順位によってレベル別に（レベル単位に）該当パート２  ＣＳＩを省略することができる。
【０１３４】
このとき、もし、ブロック＃１＋ブロック＃２＋ブロック＃３の送信に必要なコーディングされたシンボル個数が４００個と仮定し、ブロック＃１＋ブロック＃２である場合は送信に必要なコーディングされたシンボル個数が２５０個と仮定する。この場合、送信に必要なコーディングされたシンボル個数が３６０より小さい、且つ前記ブロック＃１、＃２、＃３のうち最大限多くのブロックを送ることができるようにするために、ブロック＃３を省略（即ち、ブロック＃３の一部のみを省略するものではなく、ブロック＃３全体を省略）し、ブロック＃１＋ブロック＃２のみを送信することができる。このとき、ブロック＃１＋ブロック＃２は、オフセット（ｂｅｔａ＿ｏｆｆｓｅｔ）により計算された２５０個のコーディングされたシンボルを利用して送信することもでき、全体３６０個のコーディングされたシンボルにレートマッチング（ｒａｔｅ  ｍａｔｃｈｉｎｇ）した後に送信することもできる。
【０１３５】
他の方法として、パート２  ＣＳＩが送信されることができる最大ＰＵＳＣＨデータシンボル個数（または、最大ＲＥ個数または最大コーディングされたシンボル個数）を制限する。そして、オフセット（ｂｅｔａ＿ｏｆｆｓｅｔ）と前記制限されたＰＵＳＣＨデータシンボル個数（または、最大ＲＥ個数または最大コーディングされたシンボル個数）に基づいて計算された最大ペイロード大きさＫビットがある時、もし、送信する全てのパート２  ＣＳＩのペイロード大きさがＫより大きい場合、Ｋビットより小さい、且つ最も大きいペイロード大きさを有するように（高い優先順位の）パート２  ＣＳＩブロック最大個数のみを送信することができる。それに対して、送信する全てのパート２  ＣＳＩのペイロード大きさがＫより小さい場合、全てのパート２  ＣＳＩ情報をオフセット（ｂｅｔａ＿ｏｆｆｓｅｔ）に基づいて計算されたコーディングされたシンボル個数を介して送信できる。
【０１３６】
即ち、図１２の例において、パート２  ＣＳＩが送信されることができる最大ＰＵＳＣＨデータシンボル個数が時間領域で３個に制限され、実際ＰＵＳＣＨが１０リソースブロックにわたってスケジューリングされた場合、オフセット（ｂｅｔａ＿ｏｆｆｓｅｔ）と前記制限されたＰＵＳＣＨデータシンボル個数（または、可用なＲＥ個数（例えば、３６０個））に基づいて計算された最大ペイロード大きさＫビットは、７２ビットである。前記７２ビットが全てのパート２  ＣＳＩのペイロード大きさである８０ビットより小さいため、パート２  ＣＳＩのブロックのうち優先順位が低いブロックから省略（ｏｍｉｓｓｉｏｎ）を実行しなければならない。このとき、７２ビットよりペイロード大きさが小さい、且つ最大個数の優先順位が高いブロックを送ることができるようにするために、ブロック＃３を省略してブロック＃１＋ブロック＃２を送信することができる。このとき、オフセット（ｂｅｔａ＿ｏｆｆｓｅｔ）により計算された２５０個のコーディングされたシンボルを利用して送信されることもでき、全体３６０個のコーディングされたシンボルにレートマッチングした後に送信することもできる。
【０１３７】
［方法１−ｂ］パート２  ＣＳＩペイロード大きさの（最大）量を直接ＵＬグラント上で指示できる。パート１  ＣＳＩに含まれているランク（ｒａｎｋ）情報によってパート２  ＣＳＩの最大ペイロード大きさが決定されることができ、一例として、ランク値が１である時、パート２  ＣＳＩの最大ペイロード大きさがＳ１であり、ランク値が２である時、パート２  ＣＳＩの最大ペイロード大きさがＳ２（Ｓ２＞Ｓ１と仮定する）である場合、ＵＬグラントを介して前記パート２  ＣＳＩの最大ペイロード大きさをＳ１に制限するか、またはＳ２に制限するかを指示することができる。
【０１３８】
もし、Ｓ１に指示されたが、ランク値２である時の情報でパート１  ＣＳＩを構成する場合、このとき、パート２  ＣＳＩ情報のペイロード大きさは、Ｓ１に合わせ、またはＳ１より小さい、且つ最大限多くの個数の高い優先順位のブロックのみを送信して残りの低い優先順位のブロックの送信は省略できる。例えば、Ｓ１が６０ビットである場合、図１２の例示において、ブロック＃３を省略してブロック＃１＋ブロック＃２のみを送信することができる。
【０１３９】
このとき、パート２  ＣＳＩペイロード大きさの（最大）量を直接ＵＬグラントを介して指示する時、何を指示するかが動的に指示されるパート２  ＣＳＩのためのオフセット（ｂｅｔａ＿ｏｆｆｓｅｔ）の特定状態（ｓｔａｔｅ）に対応されることができる。例えば、パート２  ＣＳＩのためのオフセット（ｂｅｔａ＿ｏｆｆｓｅｔ）値が設定された閾値（ｔｈｒｅｓｈｏｌｄ）以下である場合（または、以上である場合）、ＵＬグラント上にパート２  ＣＳＩの最大ペイロード大きさをＳ１に制限することを指示すると意味することができる。
【０１４０】
［方法１−ｃ］ＵＬ−ＳＣＨ（データ）の最大コーディング率（ｃｏｄｉｎｇ  ｒａｔｅ）Ｒ１を超えない限度内でピギーバックするパート２  ＣＳＩのペイロード大きさが決定されることができる。このとき、前記Ｒ１値は、あらかじめ決められた値（例えば、０．７５）である。または、前記Ｒ１値は、ＲＲＣシグナリングまたはＭＡＣ  ＣＥにより設定されることもでき、ＵＬグラント上に指示されることもできる。
【０１４１】
一例として、オフセット（ｂｅｔａ＿ｏｆｆｓｅｔ）と各ペイロード大きさに基づいて計算されたＰＵＳＣＨ  ＲＥにＨＡＲＱ−ＡＣＫ、パート１  ＣＳＩ、及びパート２  ＣＳＩをマッピングした後に残ったＰＵＳＣＨ  ＲＥを介してＵＬ−ＳＣＨ（データ）をマッピングするにあたって、該当ＵＬ−ＳＣＨのコーディング率がＲ１を超える場合、一部パート２  ＣＳＩ情報を省略しなければならい。その結果、Ｒ１を超えない最大個数の高い優先順位のブロックのみを送信することができる。
【０１４２】
一例として、もし、図１２の例示において、ブロック＃１＋ブロック＃２＋ブロック＃３を全て送信して残ったＰＵＳＣＨ  ＲＥを介してＵＬ−ＳＣＨを送信する時、ＵＬ−ＳＣＨに対するコーディング率は０．７７であり、ブロック＃１＋ブロック＃２のみを送信して残ったＰＵＳＣＨ  ＲＥを介してＵＬ−ＳＣＨを送信する時、ＵＬ−ＳＣＨに対するコーディング率は０．７３である場合、ブロック＃３を省略してブロック＃１＋ブロック＃２のみを送信することができる。
【０１４３】
または、ＵＬ−ＳＣＨの最大コーディング率Ｒ１を超える場合、前述した［方法１−ｂ］のようにパート２  ＣＳＩ情報のペイロード大きさはＳ１に合わせ、またはＳ１より小さい、且つ最大限多くの個数の高い優先順位のブロックのみを送信し、残りの低い優先順位のブロックは省略できる。
【０１４４】
［方法１−ｃ］で提案したＲ１値は、特徴的にＰＵＳＣＨターゲットコーディング率（ＰＵＳＣＨ  ｔａｒｇｅｔ  ｃｏｄｉｎｇ  ｒａｔｅ）である。具体的に、［方法１−ｃ］で提案したＲ１値は、以下の表のようにＵＬグラントで指示されるＭＣＳインデックス別に対応されるターゲットコーディング率（ｔａｒｇｅｔ  ｃｏｄｅ  ｒａｔｅ）を意味することができる。
【０１４５】
【表５】
2020532250.tif 000008
【０１４６】
前述した提案方法［方法１−ｃ］において、“ＵＬ−ＳＣＨの最大コーディング率Ｒ１を超えない限度内でピギーバックするパート２  ＣＳＩのペイロード大きさが決定”されるにあたって、同じ規則がパート２  ＣＳＩだけでなく、ＨＡＲＱ−ＡＣＫ及び／またはパート１  ＣＳＩにも適用されることができる。例えば、ＨＡＲＱ−ＡＣＫが送信されるＲＥ個数（等価的に変調シンボル個数）、パート１  ＣＳＩが送信されるＲＥ個数（等価的に変調シンボル個数）、パート２  ＣＳＩが送信されるＲＥ個数（等価的に変調シンボル個数）を各々Ｑ′ＡＣＫ、Ｑ′ＣＳＩ−ｐａｒｔ１、Ｑ′ＣＳＩ−ｐａｒｔ２とする。この場合、ＤＣＩを介して指示された（目標）コーディング率を満たす最小のＴＢ送信のためのＲＥ数または事前に定義／設定された特定（例：最大）コーディング率を満たす最小のＴＢ送信のためのＲＥ数を保障することができるように前記Ｑ′ＡＣＫ、Ｑ′ＣＳＩ−ｐａｒｔ１、Ｑ′ＣＳＩ−ｐａｒｔ２値が決定されることができる。
【０１４７】
一例として、前記Ｑ′ＡＣＫ、Ｑ′ＣＳＩ−ｐａｒｔ１、Ｑ′ＣＳＩ−ｐａｒｔ２値は、順に下記数式３、４、５により決定されることができる。
【０１４８】
【数３】
2020532250.tif 000009
【０１４９】
【数４】
2020532250.tif 000010
【０１５０】
【数５】
2020532250.tif 000011
【０１５１】
前記数式（３）及び数式（４）において、ｍｉｎ｛Ａ、Ｂ｝により決定されたＲＥにＨＡＲＱ−ＡＣＫまたはパート１  ＣＳＩをレートマッチングした後に送信できる。
【０１５２】
前記数式において、ＯＡＣＫはＨＡＲＱ−ＡＣＫビットの個数、ＯＣＳＩ、１はパート１  ＣＳＩ（ＣＳＩ  ｐａｒｔ１と表現することもある）ビットの個数、ＯＣＳＩ、２はパート２  ＣＳＩ（ＣＳＩ  ｐａｒｔ２と表現することもある）ビットの個数、ＬはＣＲＣビットの個数、ＭＰＵＳＣＨｓｃはＰＵＳＣＨ送信のスケジューリングされた帯域、ＮＰＵＳＣＨｓｙｍｂはＰＵＳＣＨ送信のＯＦＤＭシンボルの個数（ＤＭＲＳのために使われるＯＦＤＭシンボルは除外）、βＰＵＳＣＨｏｆｆｓｅｔはβＨＡＲＱ−ＡＣＫｏｆｆｓｅｔ、ＣＵＬ−ＳＣＨはＰＵＳＣＨ送信のＵＬ−ＳＣＨのためのコードブロックの個数、ＫｒはＰＵＳＣＨ送信のＵＬ−ＳＣＨのためのｒ番目のコードブロック大きさ、ＭＵＣＩｓｃ（ｌ）は集合ＵＣＩでの要素個数であり、ＵＣＩｌはＯＦＤＭシンボルｌでＵＣＩ送信に使用可能なリソース要素の集合である。Ｒ１値は、ＰＵＳＣＨのターゲットコーディング率である。
【０１５３】
例えば、数式（３）の場合において、Ａは、
2020532250.tif 000012
であり、Ｂは
2020532250.tif 000013
であり、もし、Ａ＞Ｂである場合、ＢほどのＲＥに（Ａ＜Ｂの場合、ＡほどのＲＥに）ＨＡＲＱ−ＡＣＫペイロードまたはパート１  ＣＳＩペイロードの省略なしでレートマッチングした後、ＨＡＲＱ−ＡＣＫまたはパート１  ＣＳＩを送信する。
【０１５４】
数式（５）ではＡ＞Ｂである場合、Ａ＜Ｂになる時までパート２  ＣＳＩの一部低い優先順位ブロックを省略することができる。数式（５）において、
2020532250.tif 000014
項が含まれることもあり、または含まれないこともある。このとき、Ｒ１値は、ＰＵＳＣＨターゲットコーディング率であり（即ち、ＵＬグラント上で指示されるＭＣＳインデックス値に対応されるターゲットコーディング率）、前記表５の例示のように、特定ＭＣＳインデックス（例えば、ＩＭＣＳ＝２８、２９、３０、または３１）の場合、対応されるターゲットコーディング率がないこともある。この場合のＲ１値は、該当ＩＭＣＳ別にターゲットコーディング率があらかじめ設定されることもでき（一例として、該当変調次数に対応される最大または最小ターゲットコーディング率にあらかじめ設定されることができる）、または該当ＭＣＳインデックスがＰＵＳＣＨ再送信時に指示されることができる場合、連動されたＨＡＲＱプロセスインデックスの初期送信（または、指示されたＭＣＳインデックスに対応されるターゲットコーディング率がある最も最近）ＵＬグラントに指示されたＭＣＳインデックスに対応されるターゲットコーディング率に設定されることもできる。
【０１５５】
前記数式３、４、５において、ＰＵＳＣＨスケジューリングによってｍｉｎ｛Ａ、Ｂ｝で
2020532250.tif 000015
、
2020532250.tif 000016
であり、Ｂ＝＜Ｘ（例えば、Ｘ＝０）である。この場合、Ｒ１＝無限大（ｉｎｆｉｎｉｔｙ）に設定し、またはＲ１＝あらかじめ決められた値（例えば、９４８／１０２４）に設定し、またはＵＬ−ＳＣＨ（データ）なしにＵＣＩのみをＰＵＳＣＨを介して送信されるようにスケジューリングされたことを端末は認知できる。
【０１５６】
図１３は、本発明の一実施例に係るＣＳＩ送信方式を示す。
【０１５７】
図１３を参照すると、優先順位によって区分される複数のＵＣＩを含む第１のＵＣＩのペイロード大きさに基づいて決定される第１のシンボル個数とＵＣＩ送信のために設定されたリソースに基づいて決定される第２のシンボル個数を比較する（Ｓ１３１）。前記例において、Ａが第１のシンボル個数、Ｂが第２のシンボル個数に対応できる。
【０１５８】
端末は、第１のシンボル個数が第２のシンボル個数より大きい場合、第１のシンボル個数が第２のシンボル個数以下になる時まで前記複数のＵＣＩのうち優先順位が最も低いＵＣＩから省略（ｏｍｉｔ）する（Ｓ１３２）。これに対しては、図１２、数式３〜５を参照して多様な例を既に説明したことがある。前記ＵＣＩは、パート２  ＣＳＩである。前記複数のＵＣＩのうち優先順位が最も低いＵＣＩから省略する時、レベル単位に省略を実行することができ、優先順位によるレベルに対しては表４を参照することができる。ここで、レベルは、前述したブロック（単位）を意味することができる。即ち、ＵＣＩを構成する複数のブロック（単位）がある時、各ブロック（単位）は、各自のレベルがある。このような場合、送信可能なリソースに前記複数のブロック（単位）を全て送信できない時、レベルを基準にして最も優先順位が低いブロック（単位）の送信を省略する。即ち、あるブロック（単位）の一部のみを送信省略するものではなく、前記あるブロック（単位）全体の送信を省略するものである。送信リソース活用側面では最適の方法ではないが、複雑度を低くするという長所がある。
【０１５９】
端末は、複数のＵＣＩのうち優先順位が最も低いＵＣＩから省略した後、残ったＵＣＩをＰＵＳＣＨを介して送信できる。
【０１６０】
前記数式３、４、５は、各々、下記数式３−１、４−１、５−１に代替されることもできる。このとき、Ｑｍは、ＵＬグラント上で指示された（または、ＰＵＳＣＨに適用される）変調次数（ｍｏｄｕｌａｔｉｏｎ  ｏｒｄｅｒ）を意味する。
【０１６１】
【数３−１】
2020532250.tif 000017
【０１６２】
【数４−１】
2020532250.tif 000018
【０１６３】
【数５−１】
2020532250.tif 000019
【０１６４】
［方法１−ｄ］パート２  ＣＳＩのコーディング率がＰＵＳＣＨターゲットコーディング率（ＣＭＣＳ）とオフセット（ｂｅｔａ＿ｏｆｆｓｅｔ）の比率より小さいように順次にパート２  ＣＳＩの情報を省略することができる。
【０１６５】
このとき、ＣＭＣＳは、前記表５のようにＵＬグラント上で指示されるＭＣＳインデックス別に対応されるターゲットコーディング率であり、特定ＭＣＳインデックス（例えば、ＩＭＣＳ＝２８、２９、３０、または３１）の場合、対応されるターゲットコーディング率がない。この場合のＰＵＳＣＨターゲットコーディング率は、該当ＩＭＣＳ別にターゲットコーディング率があらかじめ設定されることもでき（一例として、該当変調次数に対応される最大または最小ターゲットコーディング率）、または該当ＭＣＳインデックスがＰＵＳＣＨ再送信時に指示されることができる場合は、連動されたＨＡＲＱプロセスインデックスの初期送信（または、指示されたＭＣＳインデックスに対応されるターゲットコーディング率がある最も最近）ＵＬグラントに指示されたＭＣＳインデックスに対応されるターゲットコーディング率に設定されることができる。
【０１６６】
端末は、サービングセルｃに対するアップリンクＤＣＩフォーマットをスロットｎで成功的にデコーディングすると、スロットｎ＋ＹでＰＵＳＣＨを利用して非周期的ＣＳＩレポーティングを実行することができる。ここで、Ｙは、前記アップリンクＤＣＩフォーマットで指示されることができる。
【０１６７】
上位階層パラメータである“ＡｐｅｒｉｏｄｉｃＲｅｐｏｒｔＳｌｏｔＯｆｆｓｅｔ”は、与えられたレポーティング設定で許容されるＹ値を知らせることができる。
【０１６８】
ＰＵＳＣＨを介して伝達される非周期的ＣＳＩレポートは、広帯域、部分帯域、サブバンド周波数グラニュラリティをサポートし、タイプＩ  ＣＳＩ、タイプII  ＣＳＩドサポートする。
【０１６９】
端末は、アップリンクＤＣＩフォーマットを成功的にデコーディングした場合、半静的ＣＳＩレポーティングを実行することもできる。前記アップリンクＤＣＩフォーマットは、一つまたはそれ以上のＣＳＩレポーティング設定指示を含むことができ、関連したＣＳＩ測定リンク、ＣＳＩリソース設定は、上位階層により設定されることができる。
【０１７０】
ＰＵＳＣＨを介した半静的ＣＳＩレポーティングは、タイプＩ、タイプII  ＣＳＩをサポートし、広帯域、部分帯域、サブバンドを周波数グラニュラリティにすることができる。ＰＵＳＣＨリソースとＭＣＳは、アップリンクＤＣＩにより半静的に割り当てられることができる。
【０１７１】
ＰＵＳＣＨを介したＣＳＩレポーティングは、ＰＵＳＣＨを介したデータと多重化されることができる。ＰＵＳＣＨを介したＣＳＩレポーティングは、他のアップリンクデータと多重化されずに実行されることもできる。
【０１７２】
ＰＵＳＣＨを介したＣＳＩレポーティングには、タイプＩ  ＣＳＩフィードバック、タイプII  ＣＳＩフィードバックがサポートされることができる。タイプＩサブバンドＣＳＩがＰＵＳＣＨを介したＣＳＩレポーティングのためにサポートされることができる。
【０１７３】
ＰＵＳＣＨを介したタイプＩ  ＣＳＩフィードバックで、ＣＳＩレポートは、二つのパートまで含むことができる。前記二つのパートのうち、パート１は、ＲＩ／ＣＲＩ、第１のコードワードに対するＣＱＩを含むことができ、パート２は、ＰＭＩ、ＲＩ＞４である場合、第２のコードワードに対するＣＱＩを含むことができる。
【０１７４】
ＰＵＳＣＨを介したタイプII  ＣＳＩフィードバックで、ＣＳＩレポートは、二つのパートまで含むことができる。パート１は、パート２での情報ビットの個数を識別するときに使われることができる。パート１全体がパート２の以前に送信されなければならず 、パート１全体がパート２での情報ビットの個数を識別するときに使われることができる。パート１は、固定されたペイロード大きさを有することができ、ＲＩ、ＣＱＩ、パートII  ＣＳＩに対するレイヤ別係数（例えば、ゼロ値でない広帯域振幅係数）等を含むことができ、このような値を含むフィールドは、個別的にエンコーディングされることもできる。
【０１７５】
パート２は、タイプII  ＣＳＩのＰＭＩを含むことができる。パート１とパート２は、個別的にエンコーディングされることができる。ＰＵＳＣＨを介して伝達されるタイプII  ＣＳＩレポートは、長いＰＵＣＣＨを介して伝達される任意のタイプII  ＣＳＩレポートと独立に計算されることができる。
【０１７６】
上位階層パラメータである‘ＲｅｐｏｒｔＱｕａｎｔｉｔｙ’は、‘ＣＲＩ／ＲＳＲＰ’または‘ＳＳＢＲＩ／ＲＳＲＰ’のうち一つに設定された場合、ＣＳＩフィードバックが一つのパートのみで構成されることができる。
【０１７７】
ＰＵＳＣＨを介したＣＳＩレポーティングが２個のパートを含む場合、端末は、パート２  ＣＳＩの一部を省略することもできる。パート２  ＣＳＩの省略は、表４の優先順位に基づいて実行されることができる。
【０１７８】
ＰＵＳＣＨにＣＳＩとデータが多重化されるとき、パート２の全ての情報を送信しようとする場合のＵＣＩのコーディング率が閾値コーディング率ＣＴより大きい場合にのみ、パート２  ＣＳＩは省略されることができる。
【０１７９】
ＣＴは、ＣＭＣＳ／βＣＳＩ−２ｏｆｆｓｅｔのように決定されることができる。ここで、ＣＭＣＳは、ＰＵＳＣＨのターゲットコーディング率であり、βＣＳＩ−２ｏｆｆｓｅｔは、オフセット（ｂｅｔａ＿ｏｆｆｓｅｔ）値である。
【０１８０】
パート２  ＣＳＩは（優先順位による）レベル別に省略されることができ、最も低いレベル（最も低い優先順位）から省略し始めて、ＵＣＩコーディング率が前記ＣＴ以下になる時まで優先順位が低いレベルを順次に省略する。
【０１８１】
一方、ＨＡＲＱ−ＡＣＫペイロード（または、パート１  ＣＳＩペイロードまたはパート２  ＣＳＩペイロード、ＣＲＣが含まれることもあり、含まれないこともある）がＵＬ−ＳＣＨの送信される情報ビットより大きい場合、（オフセット（ｂｅｔａ＿ｏｆｆｓｅｔ）値は、１より大きいため）ＰＵＳＣＨに割り当てられたＲＥ個数にかかわらず常に全てのスケジューリングされたＲＥにＨＡＲＱ−ＡＣＫペイロード（または、パート１  ＣＳＩペイロードまたはパート２  ＣＳＩペイロード）が載せられるようになる。特に、全体送信ブロック（ＴＢ）のうち一部ＣＢＧ（ｃｏｄｅ  ｂｌｏｃｋ  ｇｒｏｕｐ）のみを再送信する場合、頻繁にこのようなことが発生でき、これを防止するために、ＣＵＬ−ＳＣＨは、現在ＵＬ−ＳＣＨのＣＢ（ｃｏｄｅ  ｂｌｏｃｋ）個数でない対応されるＨＡＲＱプロセスインデックスの初期送信ＰＵＳＣＨのＣＢ個数に解析され、Ｋｒは、初期送信ＰＵＳＣＨのｒ番目のＣＢのビット数に解析されることができる。
【０１８２】
前述した［方法１−ａ］でパート２  ＣＳＩが送信されることができる最大ＰＵＳＣＨデータシンボル個数（または、最大ＲＥ個数または最大コーディングされたシンボル個数）Ｐが制限されることができ、Ｐ値は、あらかじめ決められた値であり、またはＲＲＣシグナリングまたはＭＡＣ  ＣＥにより設定されることもでき、またはＵＬグラント上にシグナリングされることもできる。もし、該当Ｐ値がＲＲＣシグナリング（または、ＭＡＣ  ＣＥまたはＵＬグラント）を介して設定される場合、設定される前のデフォルト値（ｄｅｆａｕｌｔ  ｖａｌｕｅ）に対する設定が必要であり、この時のＰ値は、事前に定義された値（例：Ｐ＝２）に設定され、またはＰに対する制限がないもの（即ち、Ｐ＝無限大（ｉｎｆｉｎｉｔｙ））に設定されることができる。また、Ｐ値は、スケジューリングされたＰＵＳＣＨのＲＢ大きさ及び／またはシンボル個数によって異なるように設定されることもできる。一例として、ＲＢ大きさが小さいほど大きいＰ値が設定されることができ、またはＰＵＳＣＨのシンボル個数が小さいほど小さいＰ値が設定されることができる。
【０１８３】
ＵＬ−ＳＣＨ（データ）が含まれているＰＵＳＣＨ上にＵＣＩをピギーバックするにあたって、設定／指示されたパート２  ＣＳＩに対する特定オフセット（ｂｅｔａ＿ｏｆｆｓｅｔ）が既設定された閾値（例えば、０．１５  ｏｒ  ０）以下である場合、パート２  ＣＳＩをドロップ（ｄｒｏｐ）することができる。
【０１８４】
＜ＰＵＳＣＨにＵＣＩをピギーバック（ＰＵＳＣＨにデータ（ＵＬ−ＳＣＨ）がない場合）＞
【０１８５】
本節ではＵＬ−ＳＣＨ（データ）が含まれないＰＵＳＣＨ上にＵＣＩがピギーバックされる時のパート２  ＣＳＩのうち一部を省略する方法及びＲＥマッピング規則を提案する。
【０１８６】
［方法２−ａ］前述した［方法１−ａ］と同じ方法を適用することができ、異なる点は、パート２  ＣＳＩが送信されることができる最大ＰＵＳＣＨデータシンボル個数（または、最大ＲＥ個数または最大コーディングされたシンボル個数）を制限するにあたって、｛割り当てられた全体ＰＵＳＣＨデータＲＥ個数−ＨＡＲＱ−ＡＣＫがピギーバックされるＲＥ個数−パート１  ＣＳＩがピギーバックされるＲＥ個数｝にパート２  ＣＳＩが送信されることができる最大ＲＥ個数（または、最大コーディングされたシンボル個数）が制限されることができるという点である。
【０１８７】
これはＨＡＲＱ−ＡＣＫとパート１  ＣＳＩが送信されないＲＥを最大限パート２  ＣＳＩ情報で満たすためである。このとき、該当スロットに送信するＨＡＲＱ−ＡＣＫ情報がない場合、ＨＡＲＱ−ＡＣＫ情報を考慮しないこともある。
【０１８８】
一例として、図１２の例示において、ＰＵＳＣＨが１０個のリソースブロックにわたってスケジューリングされた場合、｛割り当てられた全体ＰＵＳＣＨ  ＲＥ個数−ＨＡＲＱ−ＡＣＫがピギーバックされるＲＥ個数−パート１  ＣＳＩがピギーバックされるＲＥ個数｝＝２００個である。
【０１８９】
このとき、もし、ブロック＃１＋ブロック＃２＋ブロック＃３を送信しようとする場合、オフセット（ｂｅｔａ＿ｏｆｆｓｅｔ）と送信するパート２  ＣＳＩペイロード大きさ（図１２の例示では８０ビット）に基づいて計算された、送信に必要なコーディングされたシンボル個数が４００個である。
【０１９０】
また、ブロック＃１＋ブロック＃２を送信しようとする場合、オフセット（ｂｅｔａ＿ｏｆｆｓｅｔ）と送信するパート２  ＣＳＩペイロード大きさ（図１２の例示では５０ビット）に基づいて計算された、送信に必要なコーディングされたシンボル個数が２５０個である。
【０１９１】
また、ブロック＃１を送信しようとする場合、オフセット（ｂｅｔａ＿ｏｆｆｓｅｔ）と送信するパート２  ＣＳＩペイロード大きさ（図１２の例示では２０ビット）に基づいて計算された、送信に必要なコーディングされたシンボル個数が１００個である。
【０１９２】
したがって、２００個のコーディングされたシンボルより小さい、且つ最大限多くのブロックを送ることができるようにするために、ブロック＃２及びブロック＃３を省略してブロック＃１のみを送信することができ、このとき、オフセット（ｂｅｔａ＿ｏｆｆｓｅｔ）により計算された１００個のコーディングされたシンボルを介して送信されることもでき、全体２００個のコーディングされたシンボルにレートマッチングされて送信されることもできる。
【０１９３】
他の例として、図１２のような例示において、ＰＵＳＣＨが１０個のリソースブロックにわたってスケジューリングされた場合、｛割り当てられた全体ＰＵＳＣＨ  ＲＥ個数−ＨＡＲＱ−ＡＣＫがピギーバックされるＲＥ個数−パート１  ＣＳＩがピギーバックされるＲＥ個数｝＝２００個である。
【０１９４】
このとき、オフセット（ｂｅｔａ＿ｏｆｆｓｅｔ）と制限された可用なＲＥ個数（即ち、２００個）に基づいて計算された最大ペイロード大きさＫビットが４０ビットである。前記４０ビットが全てのパート２  ＣＳＩである８０ビットより小さいため、優先順位が低いブロックから省略を実行しなければならず、４０ビットよりペイロード大きさが小さい、且つ優先順位が高いブロックを最大限送ることができるようにするためには、ブロック＃２及びブロック＃３を省略してブロック＃１のみを送信することができる。このとき、オフセット（ｂｅｔａ＿ｏｆｆｓｅｔ）により計算された１００個のコーディングされたシンボルを介して送信されることもでき、全体２００個のコーディングされたシンボルにレートマッチングされて送信されることもできる。
【０１９５】
［方法２−ｂ］図１２の例において、全てのパート２  ＣＳＩである８０ビットが全体２００個のコーディングされたシンボルにレートマッチングされて送信されることもできる。
【０１９６】
［方法２−ｃ］パート２  ＣＳＩのペイロード大きさの（最大）量を直接ＵＬグラント上で指示できる。パート１  ＣＳＩに含まれているランク情報によってパート２  ＣＳＩの最大ペイロード大きさが決定されることができる。一例として、ランク値が１である時、パート２  ＣＳＩの最大ペイロード大きさがＳ１であり、ランク値が２である時、パート２  ＣＳＩの最大ペイロード大きさがＳ２（Ｓ２＞Ｓ１）である場合、ＵＬグラント上でパート２  ＣＳＩの最大ペイロード大きさをＳ１に制限するか、またはＳ２に制限するかを指示することができる。もし、Ｓ１に指示されたが、ランク値２である情報でパート１  ＣＳＩを構成する場合、このとき、パート２  ＣＳＩ情報のペイロード大きさは、Ｓ１に合わせ、またはＳ１より小さい、且つ最大限多くの個数の高い優先順位のブロックのみを送信して残りの優先順位が低いブロックを省略できる。
【０１９７】
例えば、Ｓ１が６０ビットである場合、図１２の例示において、ブロック＃３を省略してブロック＃１＋ブロック＃２のみを送信することができる。このとき、実際パート１  ＣＳＩとパート２  ＣＳＩが載せられるコーディングされたシンボル個数の比率は、指示されたパート２  ＣＳＩペイロード大きさによって決定されることができる。一例として、パート１  ＣＳＩのペイロード大きさがＳ３ビットである場合、Ｓ１がＵＬグラントを介して指示されると、パート１  ＣＳＩとパート２  ＣＳＩが載せられるコーディングされたシンボル個数の比率がＳ３：Ｓ１（または、（パート１  ＣＳＩに対して）Ｓ３＊オフセット（ｂｅｔａ＿ｏｆｆｓｅｔ）：（パート２  ＣＳＩに対して）Ｓ１＊オフセット（ｂｅｔａ＿ｏｆｆｓｅｔ）の比率、またはパート１  ＣＳＩに対するオフセット（ｂｅｔａ＿ｏｆｆｓｅｔ）とパート２  ＣＳＩに対するオフセット（ｂｅｔａ＿ｏｆｆｓｅｔ）の比率）、Ｓ２がＵＬグラント上で指示されると、パート１  ＣＳＩとパート２  ＣＳＩが載せられるコーディングされたシンボル個数の比率がＳ３：Ｓ２（または、（パート１  ＣＳＩに対する）Ｓ３＊オフセット（ｂｅｔａ＿ｏｆｆｓｅｔ）と（パート２  ＣＳＩに対する）Ｓ２＊オフセット（ｂｅｔａ＿ｏｆｆｓｅｔ）の比率、または（パート１  ＣＳＩに対する）オフセット（ｂｅｔａ＿ｏｆｆｓｅｔ）と（パート２  ＣＳＩに対する）オフセット（ｂｅｔａ＿ｏｆｆｓｅｔ）の比率）に設定されることで、ＨＡＲＱ−ＡＣＫ情報がピギーバックされて残ったＰＵＳＣＨ  ＲＥを介してパート１  ＣＳＩ及びパート２  ＣＳＩがマッピングされることができる。
【０１９８】
このとき、パート２  ＣＳＩペイロード大きさの（最大）量を直接ＵＬグラント上で指示する方法は、動的に指示される（パート２  ＣＳＩに対する）オフセット（ｂｅｔａ＿ｏｆｆｓｅｔ）の特定状態に対応されることができる。一例として、（パート２  ＣＳＩに対する）オフセット（ｂｅｔａ＿ｏｆｆｓｅｔ）値が設定された閾値以下である場合（または、以上である場合）、ＵＬグラント上でパート２  ＣＳＩの最大ペイロード大きさをＳ１に制限することを指示すると意味することができる。
【０１９９】
［方法２−ｄ］前述した［方法１−ａ／ｂ／ｃ］及び［方法２−ａ／ｂ／ｃ］のようにＰＵＳＣＨにＵＣＩをピギーバックするにあたって、パート２  ＣＳＩ外にもＨＡＲＱ−ＡＣＫ及び／またはパート１  ＣＳＩ（及び／またはＬ１−ＲＳＲＰ）がピギーバックされることができる。このとき、ＨＡＲＱ−ＡＣＫ及び／またはパート１  ＣＳＩ（及び／またはＬ１−ＲＳＲＰ）送信においても、［方法１−ａ］のように送信されることができる最大ＰＵＳＣＨデータシンボル個数（または、最大ＲＥ個数または最大コーディングされたシンボル個数）Ｐ′に対する制約が存在できる。もし、ＨＡＲＱ−ＡＣＫペイロード大きさ（または、パート１  ＣＳＩペイロード大きさ）とＨＡＲＱ−ＡＣＫ（または、パート１  ＣＳＩ）に対するオフセット（ｂｅｔａ＿ｏｆｆｓｅｔ）に基づいて計算されたコーディングされたシンボル個数が、制限された最大ＰＵＳＣＨデータシンボル個数（または、最大ＲＥ個数または最大コーディングされたシンボル個数）より大きい場合、制限された最大ＰＵＳＣＨデータシンボル個数（または、最大ＲＥ個数または最大コーディングされたシンボル個数）上にのみＨＡＲＱ−ＡＣＫ（または、パート１  ＣＳＩまたはＬ１−ＲＳＲＰ）が送信されることができる。
【０２００】
このとき、前記Ｐ′値は、あらかじめ決められた値であり、ＲＲＣシグナリングまたはＭＡＣ  ＣＥにより設定されることもでき、ＵＬグラント上にシグナリングされることもできる。もし、該当Ｐ′値がＲＲＣシグナリング（または、ＭＡＣ  ＣＥまたはＵＬグラント）を介して設定される場合、設定される前のデフォルト値に対する設定が必要であり、このとき、Ｐ′値は、事前に定義された値（例えば、Ｐ′＝２）に設定され、またはＰ′に対する制限がないもの（即ち、Ｐ′＝ｉｎｆｉｎｉｔｙ）に設定されることができる。
【０２０１】
また、Ｐ′値は、スケジューリングされたＰＵＳＣＨのＲＢ大きさ及び／またはシンボル個数によって異なるように設定されることもでき、一例として、ＲＢ大きさが小さいほど大きいＰ′値が設定されることができ、シンボル個数が小さいほど小さいＰ′値が設定されることもできる。
【０２０２】
または、ＨＡＲＱ−ＡＣＫ及び／またはパート１  ＣＳＩがピギーバックされる時、該当制約なしでＨＡＲＱ−ＡＣＫ（または、パート１  ＣＳＩ）のためのオフセット（ｂｅｔａ＿ｏｆｆｓｅｔ）値に基づいて計算されたコーディングされたシンボル個数ほどをＨＡＲＱ−ＡＣＫ、パート１  ＣＳＩの順序にマッピングすることもできる。
【０２０３】
前記［方法２−ｄ］は、ＵＣＩペイロード大きさが特定ビット数以上であるため、分割（ｓｅｇｍｅｎｔａｔｉｏｎ）されて個別エンコーディング（ｓｅｐａｒａｔｅ  ｅｎｃｏｄｉｎｇ）される時、分割パート１及び／または分割パート２が、ＵＬ−ＳＣＨ（データ）があるＰＵＳＣＨ（または、ＵＬ−ＳＣＨがないＰＵＳＣＨ）に送信される場合にも同じく適用されることができる。
【０２０４】
図１４は、本発明の他の実施例に係る端末のＵＣＩ送信方法を示す。
【０２０５】
図１４を参照すると、端末は、ＵＣＩのペイロード大きさ及びコーディング率に関連したオフセット値に基づく第１の値とＲＲＣ（ｒａｄｉｏ  ｒｅｓｏｕｒｃｅ  ｃｏｎｔｒｏｌ）信号に基づいて設定された第２の値のうち前記ＵＣＩ送信のためのコーディングされたシンボルの個数を決定する（Ｓ１４１）。例えば、前記コーディングされたシンボルの個数は、前記第１の値及び前記第２の値のうち小さい値に決定されることができる。
【０２０６】
端末は、前記コーディングされたシンボルの個数に基づいて、前記ＵＣＩを物理アップリンク共有チャネル（ｐｈｙｓｉｃａｌ  ｕｐｌｉｎｋ  ｓｈａｒｅｄ  ｃｈａｎｎｅｌ：ＰＵＳＣＨ）を介して送信する（Ｓ１４２）。
【０２０７】
前記ＵＣＩは、前記ＰＵＳＣＨを介してデータと共に送信されることができる。前記ＵＣＩは、ＡＣＫ／ＮＡＣＫ（ａｃｋｎｏｗｌｅｄｇｅｍｅｎｔ／ｎｅｇａｔｉｖｅ−ａｃｋｎｏｗｌｅｄｇｅｍｅｎｔ）またはチャネル状態情報（ｃｈａｎｎｅｌ  ｓｔａｔｅ  ｉｎｆｏｒｍａｔｉｏｎ：ＣＳＩ）、より具体的に、パート１  ＣＳＩまたはパート２  ＣＳＩである。前記ＲＲＣ信号は、前記ＰＵＳＣＨで前記ＵＣＩのために割り当てられるリソース要素の個数を制限するための情報を含むことができる。
【０２０８】
図１４によると、例えば、ＵＬ−ＳＣＨ（データ）と共にＨＡＲＱ−ＡＣＫがＰＵＳＣＨを介して送信される場合、以下の数式のように、ＨＡＲＱ−ＡＣＫ送信のための（レイヤ別）コーディングされた変調シンボル個数が決定されることができる。
【０２０９】
【数６】
2020532250.tif 000020
【０２１０】
前記数式において、ＯＡＣＫはＨＡＲＱ−ＡＣＫビットの個数であり、ＯＡＣＫが３６０以上である場合、ＬＡＣＫは１１、そうでない場合、ＣＲＣビットの個数である。ＭＰＵＳＣＨｓｃはＰＵＳＣＨ送信のスケジューリングされた帯域（副搬送波個数）、ＮＰＵＳＣＨｓｙｍｂはＰＵＳＣＨ送信のＯＦＤＭシンボルの個数（ＤＭＲＳのために使われるＯＦＤＭシンボルは除外）、βＰＵＳＣＨｏｆｆｓｅｔはβＨＡＲＱ−ＡＣＫｏｆｆｓｅｔ、ＣＵＬ−ＳＣＨはＰＵＳＣＨ送信のＵＬ−ＳＣＨのためのコードブロックの個数、ＫｒはＰＵＳＣＨ送信のＵＬ−ＳＣＨのためのｒ番目のコードブロック大きさ、ＭＵＣＩｓｃ（ｌ）はＯＦＤＭシンボルｌでＵＣＩ送信に使用可能なリソース要素の個数である。
【０２１１】
αは、ＲＲＣ信号のような上位階層信号（パラメータ）により設定される値である。
【０２１２】
前記数式６は、ｍｉｎ（Ａ、Ｂ）の形態に構成されており、前述したＵＣＩのペイロード大きさ及びコーディング率に関連したオフセット値に基づく第１の値が前記数式６のＡに該当し、ＲＲＣ（ｒａｄｉｏ  ｒｅｓｏｕｒｃｅ  ｃｏｎｔｒｏｌ）信号に基づいて設定された第２の値が前記数式６のＢに該当する。
【０２１３】
即ち、ＵＣＩがＰＵＳＣＨを介して送信される場合、前記ＵＣＩのコーディングされたシンボル（より具体的に、コーディングされた変調シンボル）個数を決定しなければならない。このとき、従来技術では、単に前記ＵＣＩのペイロード（ｐａｙｌｏａｄ）大きさに基づいて必要なリソース量とＰＵＳＣＨで前記ＵＣＩ送信のために割り当てられたリソース量とを単純比較して小さい値に該当するリソース量に基づいて前記コーディングされたシンボル個数を決定した。
【０２１４】
しかし、本発明では、ＵＣＩのペイロード大きさ及びコーディング率に関連したオフセット値に基づく第１の値とＲＲＣ信号に基づいて設定された第２の値のうち小さい値に前記ＵＣＩのコーディングされた変調シンボル個数を決定する。したがって、多様な要件を必要とする多様なサービスを提供すべきＮＲでネットワークが前記ＵＣＩのコーディングされた変調シンボル個数を決定することをより精密に制御できる。
【０２１５】
［方法２−ｄ］及びそれに対する詳細な説明である図１４の方法は、パート１  ＣＳＩ、パート２  ＣＳＩにも同様に適用されることができる。
【０２１６】
パート１  ＣＳＩである場合、以下の数式７によることができ、パート２  ＣＳＩである場合、以下の数式８によることができる。
【０２１７】
【数７】
2020532250.tif 000021
【０２１８】
ＯＣＳＩ−１はパート１  ＣＳＩ（ＣＳＩ  ｐａｒｔ１）ビットの個数であり、ＯＣＳＩ−１が３６０以上である場合、ＬＣＳＩ−１は１１、そうでない場合、ＣＲＣビットの個数である。ＭＰＵＳＣＨｓｃはＰＵＳＣＨ送信のスケジューリングされた帯域（副搬送波個数）、ＮＰＵＳＣＨｓｙｍｂはＰＵＳＣＨ送信のＯＦＤＭシンボルの個数（ＤＭＲＳのために使われるＯＦＤＭシンボルは除外）、βＰＵＳＣＨｏｆｆｓｅｔはβＣＳＩ−ｐａｒｔ１ｏｆｆｓｅｔ、ＣＵＬ−ＳＣＨはＰＵＳＣＨ送信のＵＬ−ＳＣＨのためのコードブロックの個数、ＫｒはＰＵＳＣＨ送信のＵＬ−ＳＣＨのためのｒ番目のコードブロック大きさ、ＭＵＣＩｓｃ（ｌ）はＯＦＤＭシンボルｌでＵＣＩ送信に使用可能なリソース要素の個数である。
【０２１９】
αは、ＲＲＣ信号のような上位階層信号（パラメータ）により設定される値である。
【０２２０】
【数８】
2020532250.tif 000022
【０２２１】
ＯＣＳＩ−２はパート２  ＣＳＩ（ＣＳＩ  ｐａｒｔ２）ビットの個数であり、ＯＣＳＩ−２が３６０以上である場合、ＬＣＳＩ−２は１１、そうでない場合、ＣＲＣビットの個数である。ＭＰＵＳＣＨｓｃはＰＵＳＣＨ送信のスケジューリングされた帯域（副搬送波個数）、ＮＰＵＳＣＨｓｙｍｂはＰＵＳＣＨ送信のＯＦＤＭシンボルの個数（ＤＭＲＳのために使われるＯＦＤＭシンボルは除外）、βＰＵＳＣＨｏｆｆｓｅｔはβＣＳＩ−ｐａｒｔ２ｏｆｆｓｅｔ、ＣＵＬ−ＳＣＨはＰＵＳＣＨ送信のＵＬ−ＳＣＨのためのコードブロックの個数、ＫｒはＰＵＳＣＨ送信のＵＬ−ＳＣＨのためのｒ番目のコードブロック大きさ、ＭＵＣＩｓｃ（ｌ）はＯＦＤＭシンボルｌでＵＣＩ送信に使用可能なリソース要素の個数である。
【０２２２】
αは、ＲＲＣ信号のような上位階層信号（パラメータ）により設定される値である。
【０２２３】
前述したように、パート２  ＣＳＩは、全体パート２  ＣＳＩをＰＵＳＣＨを介して送信できない場合、優先順位によってレベル別に優先順位が低いパート２  ＣＳＩを省略することができる。即ち、一部ビットのみを省略するものではなく、優先順位によってレベル別に該当パート２  ＣＳＩを省略することができる。
【０２２４】
［方法２−ｅ］ＵＣＩが、ＵＬ−ＳＣＨ（データ）が存在するＰＵＳＣＨにピギーバックされる時、ＵＣＩが送信されるコーディングされたシンボル個数は、ＵＬ−ＳＣＨのコーディング率を考慮して決定されることができる。しかし、ＵＬ−ＳＣＨ（データ）ないＰＵＳＣＨにピギーバックされる場合は、ＵＬ−ＳＣＨのコーディング率がないため、基準になるコーディング率を設定する必要がある。
【０２２５】
【数９】
2020532250.tif 000023
【０２２６】
前記数式は、ＬＴＥシステムでＵＬ−ＳＣＨ（データ）ないＰＵＳＣＨにＵＣＩをピギーバックする時、ＨＡＲＱ−ＡＣＫのコーディングされたシンボル個数を設定する方法を示す。ＨＡＲＱ−ＡＣＫ及び／またはパート１  ＣＳＩ及び／またはパート２  ＣＳＩのコーディングされたシンボル個数を設定するにあたって、基準になるデータペイロードは、ＣＳＩレポートが設定された全てのセルに対応されるランクが１である時のＣＱＩペイロード大きさ（ＣＲＣ含む）である。
【０２２７】
ＮＲシステムでは、ＨＡＲＱ−ＡＣＫ及び／またはパート１  ＣＳＩ及び／またはパート２  ＣＳＩのコーディングされたシンボル個数を設定するにあたって、基準になるデータペイロードを下記の値のうち一つに決定されることができ、ＵＣＩタイプ別に互いに異なるように設定されることもできる。
【０２２８】
１）Ｏｐｔ．１：ＣＳＩレポートが設定された全てのＣＳＩ種類（または、全てのＣＳＩレポート設定、一例として、前記図１１のＮ値）に対応される（または、Ｎ個のうちあらかじめ設定されたＣＳＩ種類に対応される）ランクが１に仮定する時のパート２  ＣＳＩ情報（ＣＲＣは、含まれることもあり、または含まれないこともある）の最大値（または、最小値）。
【０２２９】
２）Ｏｐｔ．２：ＣＳＩレポートが設定された全てのＣＳＩ種類（または、全てのＣＳＩレポート設定、一例として、前記図１１のＮ値）に対応される（または、Ｎ個のうちあらかじめ設定されたＣＳＩ種類に対応される）ランクが２に仮定する時のパート２  ＣＳＩ情報（ＣＲＣは、含まれることもあり、または含まれないこともある）の最大値（または、最小値）。
【０２３０】
３）Ｏｐｔ．３：ＣＳＩレポートが設定された全てのＣＳＩ種類（図１１のＮ値）に対応される（または、Ｎ個のうちあらかじめ設定されたＣＳＩ種類に対応される）パート１  ＣＳＩ情報（ＣＲＣは、含まれることもあり、または含まれないこともある）の最大値（または、最小値）。
【０２３１】
このとき、前記数式のα（ａｌｐｈａ）値は、前述した［方法２−ｄ］のようにシグナリングされることができ、またはあらかじめ決まることができ、または制約がないこともある。
【０２３２】
前記提案した［方法２−ｅ］に対して、具体的に、以下の数式のようにパート１  ＣＳＩのＲＥ個数が決定されることができる。
【０２３３】
【数１０】
2020532250.tif 000024
【０２３４】
βＰＵＳＣＨｏｆｆｓｅｔ＝βＣＳＩ−ｐａｒｔ１ｏｆｆｓｅｔ／βＣＳＩ−ｐａｒｔ２ｏｆｆｓｅｔのようにオフセット（ｂｅｔａ＿ｏｆｆｓｅｔ）値が決定されることができる。ＯＣＳＩは、前記提案した［方法２−ｅ］のＯｐｔ．１、Ｏｐｔ．２、またはＯｐｔ．３により決定されることができる。または、該当ＰＵＳＣＨ上送信するパート１  ＣＳＩに対応されるパート２  ＣＳＩ情報（ＣＲＣは、含まれることもあり、または含まれないこともある）の最大値（または、最小値）、または事前に定義／設定された特定パート２  ＣＳＩ（ＣＲＣを含む）のビット数である。
【０２３５】
より一般化すると、ＰＵＳＣＨにピギーバックされる“特定ＵＣＩタイプ”に割り当てられるＲＥ数を決定するＱ′数式に適用／代入されるパート２  ＣＳＩペイロード大きさを特定基準（固定された）ペイロード大きさに決定できる。このとき、基準（固定された）パート２  ＣＳＩペイロード大きさは、パート２  ＣＳＩが有することができる最大または最小または特定ランク値（例えば、１）を仮定したペイロード大きさに決定されることができる。前記ＰＵＳＣＨは、データなしでＵＣＩのみを送信するＰＵＳＣＨも含むことができ、前記“特定ＵＣＩタイプ”は、少なくともパート１  ＣＳＩを含むことができる。
【０２３６】
【数１１】
2020532250.tif 000025
【０２３７】
前記数式のように、データがあるＰＵＳＣＨの場合、ＵＣＩピギーバック時、ＨＡＲＱ−ＡＣＫに割り当てられるＲＥ個数を決定するにあたって、パート２  ＣＳＩペイロード大きさを考慮することができる。このとき、ＯＣＳＩ、２は、特定基準（固定された）ペイロード大きさに決定されることができる。ＬＣＳＩ、２は、特定基準（固定された）ペイロード大きさに対応されるＣＲＣビット個数である。
【０２３８】
［方法２−ｆ］前述した［方法１−ｄ］のように、データないＰＵＳＣＨ（ＰＵＳＣＨ  ｗ／ｏ  ＵＬ−ＳＣＨ）の場合にも、パート２  ＣＳＩのコーディング率がＰＵＳＣＨターゲットコーディング率とオフセット（ｂｅｔａ＿ｏｆｆｓｅｔ）の比率より小さいように順次にパート２  ＣＳＩの情報を省略することができる。
【０２３９】
このとき、ＣＭＣＳは、前記表４のようにＵＬグラント上に指示されるＭＣＳインデックス別に対応されるターゲットコーディング率であり、特定ＭＣＳインデックス（即ち、ＩＭＣＳ＝２８、２９、３０、または３１）の場合、対応されるターゲットコーディング率がない。この場合のＲ１値は、該当ＩＭＣＳ別にターゲットコーディング率があらかじめ設定されることもでき（一例として、該当変調次数に対応される最大または最小ターゲットコーディング率）、または連動されたＨＡＲＱプロセスインデックスの指示されたＭＣＳインデックスに対応されるターゲットコーディング率がある最も最近ＵＬグラントで指示されたＭＣＳインデックスに対応されるターゲットコーディング率に設定されることができる。
【０２４０】
または、ＣＴ値は、ＰＵＣＣＨフォーマット３（または、ＰＵＣＣＨフォーマット４）のために設定された最大コーディング率と同じく、またはＰＵＣＣＨフォーマット３（または、ＰＵＣＣＨフォーマット４）のために設定された最大コーディング率とオフセット（ｂｅｔａ＿ｏｆｆｓｅｔ）（例えば、βＣＳＩ−２ｏｆｆｓｅｔ）の割合に設定されることができる。ここで、ＰＵＣＣＨフォーマット３は、４シンボル以上で構成された長いＰＵＣＣＨであり、端末間多重化（ｍｕｌｔｉｐｌｅｘｉｎｇ）がサポートされない、２ビット以上のＵＣＩ送信をサポートするＰＵＣＣＨフォーマットである。ＰＵＣＣＨフォーマット４は、４シンボル以上で構成された長いＰＵＣＣＨであり、端末間多重化（即ち、ｐｒｅ−ＤＦＴ  ＯＣＣ）がサポートされる、２ビット以上のＵＣＩ送信をサポートするＰＵＣＣＨである。
【０２４１】
＜ＰＵＣＣＨを介して送信されるＵＣＩ＞
【０２４２】
長いＰＵＣＣＨ（または、短いＰＵＣＣＨ）を介してタイプ１  ＣＳＩ（または、タイプ２  ＣＳＩ）が送信される場合（例えば、サブバンドタイプ１  ＣＳＩ）にも、パート１  ＣＳＩとパート２  ＣＳＩが個別エンコーディング（ｓｅｐａｒａｔｅ  ｅｎｃｏｄｉｎｇ）されることができる。この場合、基本的に［方法２−ａ］のように、ＨＡＲＱ−ＡＣＫ、パート１  ＣＳＩの順序にマッピングされた後、｛割り当てられた全体ＰＵＳＣＨ  ＲＥ個数−ＨＡＲＱ−ＡＣＫがピギーバックされるＲＥ個数−パート１  ＣＳＩがピギーバックされるＲＥ個数｝上にパート２  ＣＳＩがマッピングされることができる。即ち、送信されるコーディングされたシンボル個数またはＲＥ個数に制約を加えて実際送信するパート２  ＣＳＩのブロックを決定するという点とマッピング方法観点で［方法２−ａ］を同じく適用できる。
【０２４３】
または、＜ＰＵＳＣＨにＵＣＩをピギーバック（ＰＵＳＣＨにデータ（ＵＬ−ＳＣＨ）がない場合）＞で提案した方法を同じく適用でき、この時の割り当てられたリソースは、ＰＵＣＣＨのために割り当てられたリソースを意味することができる。また、ＰＵＳＣＨにＵＣＩをピギーバックする時のオフセット（ｂｅｔａ＿ｏｆｆｓｅｔ）値をＰＵＣＣＨにも同じく適用することもでき、ＰＵＣＣＨを介してＵＣＩを送信する時のためのオフセット（ｂｅｔａ＿ｏｆｆｓｅｔ）値が別途に設定されることもできる。
【０２４４】
長いＰＵＣＣＨの場合、２ビットより多いビットであるＵＣＩペイロード大きさに対して送信できるフォーマットが大いに二つがある。一つは、端末間ＣＤＭ（ｃｏｄｅ  ｄｉｖｉｓｉｏｎ  ｍｕｌｔｉｐｌｅｘｉｎｇ）をサポートしないフォーマット（例えば、ＮＲ  ＰＵＣＣＨフォーマット３）であり、他の一つは、端末間（ｐｒｅ−ＤＦＴ  ＯＣＣを活用した）ＣＤＭをサポートするフォーマット（例えば、ＮＲ  ＰＵＣＣＨフォーマット４）である。
【０２４５】
もし、パート１  ＣＳＩとパート２  ＣＳＩが個別コーディング（ｓｅｐａｒａｔｅ  ｅｎｃｏｄｉｎｇ）される場合、（または、ＵＣＩペイロード大きさが特定ビット数以上であるため、ＵＣＩ分割（ｓｅｇｍｅｎｔａｔｉｏｎ）された後に個別コーディングされる場合）ＮＲ  ＰＵＣＣＨフォーマット３上にのみ該当ＵＣＩが送信されることと端末は期待することができる。パート１  ＣＳＩとパート２  ＣＳＩが個別コーディングされる場合、（または、ＵＣＩペイロード大きさが特定ビット数以上であるため、ＵＣＩ分割された後に個別コーディングされる場合）、もし、ＮＲ  ＰＵＣＣＨフォーマット３上にのみ該当ＵＣＩが送信されることが設定（例えば、ＤＬ割当上にＰＵＣＣＨフォーマットが明示的にシグナリングされ、またはＰＵＣＣＨリソース指示子を介してＰＵＣＣＨフォーマットが指示される場合等）されたが、実際ＮＲ  ＰＵＣＣＨフォーマット４に対応されるＰＵＣＣＨリソースが指示される時、端末は、パート２  ＣＳＩ（または、分割されたＵＣＩのうち一つ）を常にドロップするように設定されることができる。
【０２４６】
前記で提案したＵＣＩピギーバック方法で、ＨＡＲＱ−ＡＣＫ、パート１  ＣＳＩ、及びパート２  ＣＳＩが個別コーディングされて送信されるＰＵＣＣＨまたはＰＵＳＣＨスロット上にＳＲ送信が設定されている。このとき、該当ＳＲ１ビット（または、１ビット超過）がＨＡＲＱ−ＡＣＫの最後のペイロードに追加（ａｐｐｅｎｄ）されることもでき、またはパート１  ＣＳＩの最後のペイロードに追加（ａｐｐｅｎｄ）されることもできる。
【０２４７】
前記で提案したＵＣＩピギーバック方法は、半静的（ｓｅｍｉ−ｐｅｒｓｉｓｔｅｎｔ）ＰＵＳＣＨ／ＰＵＣＣＨ送信時にも同じく適用されることができる。このとき、半静的ＰＵＳＣＨ／ＰＵＣＣＨとは、基地局が上位階層信号としてあらかじめＰＵＳＣＨに対する送信リソース（及び送信周期）を設定し、ＰＤＣＣＨ（または、ＲＲＣシグナリング）を介して活性化（Ａｃｔｉｖａｔｉｏｎ）すると、前記送信リソース（及び送信周期）によってＰＵＳＣＨ／ＰＵＣＣＨ送信を実行し、再びＰＤＣＣＨ（または、ＲＲＣシグナリング）を介して解除（Ｒｅｌｅａｓｅ）すると、前記ＰＵＳＣＨ／ＰＵＣＣＨ送信を止める方式に従うＰＵＳＣＨ／ＰＵＣＣＨを意味することができる。具体的に、半静的ＰＵＳＣＨは、ＵＬ−ＳＣＨ（データ）送信可否によって、＜データが載せられるＰＵＳＣＨへのＵＣＩピギーバック＞、＜ＰＵＳＣＨにＵＣＩをピギーバック（ＰＵＳＣＨにデータ（ＵＬ−ＳＣＨ）がない場合）＞で提案した方法を適用することができ、半静的ＰＵＣＣＨは、＜ＰＵＣＣＨを介して送信されるＵＣＩ＞節で提案した方法を適用することができる。
【０２４８】
既存ＬＴＥシステムにおいて、周期的ＣＳＩとＨＡＲＱ−ＡＣＫの同時送信に対する設定があり、該当設定がｅｎａｂｌｅされると、ＰＵＳＣＨまたはＰＵＣＣＨ上に周期的ＣＳＩとＨＡＲＱ−ＡＣＫの同時送信が可能である。ＮＲシステムにおいて、ＣＳＩレポーティングの周期性によって周期的／半静的／非周期的ＣＳＩレポーティング方法が導入され、各々がＰＵＳＣＨまたはＰＵＣＣＨ上に送信されることができ、報告周期性によるＣＳＩとＨＡＲＱ−ＡＣＫの同時送信設定が別途に設定されることができる。即ち、周期的ＣＳＩとＨＡＲＱ−ＡＣＫの同時送信に対する設定＃１、半静的ＣＳＩとＨＡＲＱ−ＡＣＫの同時送信に対する設定＃２、非周期的ＣＳＩとＨＡＲＱ−ＡＣＫの同時送信に対する設定＃３が別途に設定されることができる。
【０２４９】
前記説明した提案方式に対する一例も本発明の具現方法のうち一つで含まれることができるため、一種の提案方式として見なされることは明白な事実である。また、前記説明した提案方式は、独立に具現されることもでき、一部提案方式の組み合わせ（または、併合）形態で具現されることもできる。前記提案方法の適用可否情報（または、前記提案方法の規則に対する情報）は、基地局が端末に事前に定義されたシグナル（例えば、物理階層シグナルまたは上位階層シグナル）を介して知らせるように規則が定義されることができる。
【０２５０】
図１５は、本発明を実行する送信装置１０及び受信装置２０の構成要素を示すブロック図である。ここで、前記送信装置及び受信装置は、各々、基地局または端末である。
【０２５１】
送信装置１０及び受信装置２０は、情報及び／またはデータ、信号、メッセージなどを伝送する無線信号を送信または受信することができるトランシーバ１３、２３、無線通信システム内の通信と関連した各種情報を格納するメモリ１２、２２、並びに前記トランシーバ１３、２３及びメモリ１２、２２などの構成要素と連結され、前記構成要素を制御して該当装置が前述した本発明の実施例のうち少なくとも一つを実行するようにメモリ１２、２２及び／またはトランシーバ１３、２３を制御するように構成された（ｃｏｎｆｉｇｕｒｅｄ）プロセッサ１１、２１を各々含むことができる。
【０２５２】
メモリ１２、２２は、プロセッサ１１、２１の処理及び制御のためのプログラムを格納することができ、入／出力される情報を臨時格納することができる。メモリ１２、２２は、バッファとして活用されることができる。
【０２５３】
プロセッサ１１、２１は、通常的に送信装置または受信装置内の各種モジュールの全般的な動作を制御する。特に、プロセッサ１１、２１は、本発明を実行するための各種制御機能を遂行することができる。プロセッサ１１、２１は、コントローラ（ｃｏｎｔｒｏｌｌｅｒ）、マイクロコントローラ（ｍｉｃｒｏｃｏｎｔｒｏｌｌｅｒ）、マイクロプロセッサ（ｍｉｃｒｏｐｒｏｃｅｓｓｏｒ）、マイクロコンピュータ（ｍｉｃｒｏｃｏｍｐｕｔｅｒ）などで呼ばれることもある。プロセッサ１１、２１は、ハードウェア（ｈａｒｄｗａｒｅ）またはファームウェア（ｆｉｒｍｗａｒｅ）、ソフトウェア、またはこれらの結合により具現されることができる。ハードウェアを利用して本発明を具現する場合は、本発明を実行するように構成されたＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）またはＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）などがプロセッサ１１、２１に備えられることができる。一方、ファームウェアやソフトウェアを利用して本発明を具現する場合は、本発明の機能または動作を実行するモジュール、手順または関数などを含むようにファームウェアやソフトウェアが構成されることができ、本発明を実行することができるように構成されたファームウェアまたはソフトウェアは、プロセッサ１１、２１内に備えられ、またはメモリ１２、２２に格納されてプロセッサ１１、２１により駆動されることができる。
【０２５４】
送信装置１０のプロセッサ１１は、外部に送信する信号及び／またはデータに対して所定の符号化（ｃｏｄｉｎｇ）及び変調（ｍｏｄｕｌａｔｉｏｎ）を実行した後、トランシーバ１３に送信できる。例えば、プロセッサ１１は、送信しようとするデータ列を逆多重化及びチャネル符号化、スクランブリング、変調過程などを経てコードワードを生成することができる。コードワードは、ＭＡＣ階層が提供するデータブロックであるトランスポートブロックと等価の情報を含むことができる。一つのトランスポートブロック（ｔｒａｎｓｐｏｒｔ  ｂｌｏｃｋ、ＴＢ）は、一つのコードワードで符号化されることができる。各コードワードは、一つ以上のレイヤを介して受信装置に送信されることができる。周波数アップ変換（ｆｒｅｑｕｅｎｃｙ  ｕｐ−ｃｏｎｖｅｒｔ）のために、トランシーバ１３は、オシレータ（ｏｓｃｉｌｌａｔｏｒ）を含むことができる。トランシーバ１３は、一つのまたは複数の送信アンテナを含むことができる。
【０２５５】
受信装置２０の信号処理過程は、送信装置１０の信号処理過程の逆に構成されることができる。プロセッサ２１の制御下に、受信装置２０のトランシーバ２３は、送信装置１０により送信された無線信号を受信することができる。前記トランシーバ２３は、一つまたは複数個の受信アンテナを含むことができる。前記トランシーバ２３は、受信アンテナを介して受信された信号の各々を周波数ダウンコンパートして（ｆｒｅｑｕｅｎｃｙ  ｄｏｗｎ−ｃｏｎｖｅｒｔ）基底帯域信号に復元できる。トランシーバ２３は、周波数ダウンコンパートのためにオシレータを含むことができる。前記プロセッサ２１は、受信アンテナを介して受信された無線信号に対する復号（ｄｅｃｏｄｉｎｇ）及び復調（ｄｅｍｏｄｕｌａｔｉｏｎ）を実行し、送信装置１０が本来送信しようとしたデータを復元することができる。
【０２５６】
トランシーバ１３、２３は、一つまたは複数個のアンテナを具備することができる。アンテナは、プロセッサ１１、２１の制御下に、本発明の一実施例によって、トランシーバ１３、２３により処理された信号を外部に送信し、または外部から無線信号を受信してトランシーバ１３、２３に伝達する機能を遂行することができる。アンテナは、アンテナポートと称することもできる。各アンテナは、一つの物理アンテナに該当し、または一つより多い物理アンテナ要素（ｅｌｅｍｅｎｔ）の組み合わせにより構成される（ｃｏｎｆｉｇｕｒｅｄ）ことができる。各アンテナから送信された信号は、受信装置２０によりそれ以上分解されることができない。該当アンテナに対応して送信された参照信号（ｒｅｆｅｒｅｎｃｅ  ｓｉｇｎａｌ、ＲＳ）は、受信装置２０の観点で見たアンテナを定義し、チャネルが一つの物理アンテナからの単一（ｓｉｎｇｌｅ）無線チャネルか、または前記アンテナを含む複数の物理アンテナ要素（ｅｌｅｍｅｎｔ）からの合成（ｃｏｍｐｏｓｉｔｅ）チャネルかにかかわらず、前記受信装置２０をして前記アンテナに対するチャネル推定を可能せしめる。即ち、アンテナは、前記アンテナ上のシンボルを伝達するチャネルが前記同じアンテナ上の他のシンボルが伝達される前記チャネルから導出されるように定義されることができる。複数のアンテナを利用してデータを送受信する多重入出力（Ｍｕｌｔｉ−Ｉｎｐｕｔ  Ｍｕｌｔｉ−Ｏｕｔｐｕｔ、ＭＩＭＯ）機能をサポートするトランシーバの場合は、２個以上のアンテナと連結されることができる。
【０２５７】
図１６は、送信装置１０内の信号処理モジュール構造の一例を示す。ここで、信号処理は、図１５のプロセッサ１１のような基地局／端末のプロセッサで実行されることができる。
【０２５８】
図１６を参照すると、端末または基地局内の送信装置１０は、スクランブラ３０１、モジュレータ３０２、レイヤマッパ３０３、アンテナポートマッパ３０４、リソースブロックマッパ３０５、信号生成器３０６を含むことができる。
【０２５９】
送信装置１０は、一つ以上のコードワード（ｃｏｄｅｗｏｒｄ）を送信することができる。各コードワード内の符号化されたビット（ｃｏｄｅｄ  ｂｉｔｓ）は、各々、スクランブラ３０１によりスクランブリングされて物理チャネル上で送信される。コードワードは、データ列ということもでき、ＭＡＣ階層が提供するデータブロックであるトランスポートブロックと等価である。
【０２６０】
スクランブルされたビットは、モジュレータ３０２により複素変調シンボル（Ｃｏｍｐｌｅｘ−ｖａｌｕｅｄ  ｍｏｄｕｌａｔｉｏｎ  ｓｙｍｂｏｌｓ）に変調される。モジュレータ３０２は、前記スクランブルされたビットを変調方式によって変調して信号コンステレーション（ｓｉｇｎａｌ  ｃｏｎｓｔｅｌｌａｔｉｏｎ）上の位置を表現する複素変調シンボルに配置できる。変調方式（ｍｏｄｕｌａｔｉｏｎ  ｓｃｈｅｍｅ）には制限がなく、ｍ−ＰＳＫ（ｍ−Ｐｈａｓｅ  Ｓｈｉｆｔ  Ｋｅｙｉｎｇ）またはｍ−ＱＡＭ（ｍ−Ｑｕａｄｒａｔｕｒｅ  Ａｍｐｌｉｔｕｄｅ  Ｍｏｄｕｌａｔｉｏｎ）などが前記符号化されたデータの変調に利用されることができる。モジュレータは、モジュレーションマッパ（ｍｏｄｕｌａｔｉｏｎ  ｍａｐｐｅｒ）ということができる。
【０２６１】
前記複素変調シンボルは、レイヤマッパ３０３により一つ以上の送信レイヤにマッピングされることができる。各レイヤ上の複素変調シンボルは、アンテナポート上での送信のためにアンテナポートマッパ３０４によりマッピングされることができる。
【０２６２】
リソースブロックマッパ３０５は、各アンテナポートに対する複素変調シンボルを送信のために割り当てられた仮想リソースブロック（Ｖｉｒｔｕａｌ  Ｒｅｓｏｕｒｃｅ  Ｂｌｏｃｋ）内の適切なリソース要素にマッピングすることができる。リソースブロックマッパは、前記仮想リソースブロックを適切なマッピング技法（ｍａｐｐｉｎｇ  ｓｃｈｅｍｅ）によって物理リソースブロック（Ｐｈｙｓｉｃａｌ  Ｒｅｓｏｕｒｃｅ  Ｂｌｏｃｋ）にマッピングすることができる。前記リソースブロックマッパ３０５は、前記各アンテナポートに対する複素変調シンボルを適切な副搬送波に割り当て、ユーザによって多重化できる。
【０２６３】
信号生成器３０６は、前記各アンテナポートに対する複素変調シンボル、即ち、アンテナ特定シンボルを特定変調方式、例えば、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式に変調し、複素時間ドメイン（ｃｏｍｐｌｅｘ−ｖａｌｕｅｄ  ｔｉｍｅ  ｄｏｍａｉｎ）ＯＦＤＭシンボル信号を生成することができる。信号生成器は、アンテナ特定シンボルに対してＩＦＦＴ（Ｉｎｖｅｒｓｅ  Ｆａｓｔ  Ｆｏｕｒｉｅｒ  Ｔｒａｎｓｆｏｒｍ）を実行することができ、ＩＦＦＴが実行された時間ドメインシンボルにはＣＰ（Ｃｙｃｌｉｃ  Ｐｒｅｆｉｘ）が挿入されることができる。ＯＦＤＭシンボルは、デジタル−アナログ（ｄｉｇｉｔａｌ−ｔｏ−ａｎａｌｏｇ）変換、周波数アップ変換などを経て各送信アンテナを介して受信装置に送信される。信号生成器は、ＩＦＦＴモジュール及びＣＰ挿入機、ＤＡＣ（Ｄｉｇｉｔａｌ−ｔｏ−Ａｎａｌｏｇ  Ｃｏｎｖｅｒｔｅｒ）、周波数アップリンク変換器（ｆｒｅｑｕｅｎｃｙ  ｕｐｌｉｎｋ  ｃｏｎｖｅｒｔｅｒ）などを含むことができる。
【０２６４】
図１７は、送信装置１０内の信号処理モジュール構造の他の例を示す。ここで、信号処理は、図１５のプロセッサ１１等、端末／基地局のプロセッサで実行されることができる。
【０２６５】
図１７を参照すると、端末または基地局内の送信装置１０は、スクランブラ４０１、モジュレータ４０２、レイヤマッパ４０３、プリコーダ４０４、リソースブロックマッパ４０５、信号生成器４０６を含むことができる。
【０２６６】
送信装置１０は、一つのコードワードに対して、コードワード内の符号化されたビット（ｃｏｄｅｄ  ｂｉｔｓ）をスクランブラ４０１によりスクランブリングした後、物理チャネルを介して送信できる。
【０２６７】
スクランブルされたビットは、モジュレータ４０２により複素変調シンボルに変調される。前記モジュレータは、前記スクランブルされたビットを既決定された変調方式によって変調して信号コンステレーション（ｓｉｇｎａｌ  ｃｏｎｓｔｅｌｌａｔｉｏｎ）上の位置を表現する複素変調シンボルに配置できる。変調方式（ｍｏｄｕｌａｔｉｏｎ  ｓｃｈｅｍｅ）には制限がなく、ｐｉ／２−ＢＰＳＫ（ｐｉ／２−Ｂｉｎａｒｙ  Ｐｈａｓｅ  Ｓｈｉｆｔ  Ｋｅｙｉｎｇ）、ｍ−ＰＳＫ（ｍ−Ｐｈａｓｅ  Ｓｈｉｆｔ  Ｋｅｙｉｎｇ）またはｍ−ＱＡＭ（ｍ−Ｑｕａｄｒａｔｕｒｅ  Ａｍｐｌｉｔｕｄｅ  Ｍｏｄｕｌａｔｉｏｎ）などが前記符号化されたデータの変調に利用されることができる。
【０２６８】
前記複素変調シンボルは、前記レイヤマッパ４０３により一つ以上の送信レイヤでマッピングされることができる。
【０２６９】
各レイヤ上の複素変調シンボルは、アンテナポート上での送信のためにプリコーダ４０４によりプリコーディングされることができる。ここで、プリコーダは、複素変調シンボルに対するトランスフォームプリコーディング（ｔｒａｎｓｆｏｒｍ  ｐｒｅｃｏｄｉｎｇ）を実行した以後にプリコーディングを実行することもできる。または、プリコーダは、トランスフォームプリコーディングを実行せずにプリコーディングを実行することもできる。プリコーダ４０４は、前記複素変調シンボルを多重送信アンテナによるＭＩＭＯ方式に処理してアンテナ特定シンボルを出力し、前記アンテナ特定シンボルを該当リソースブロックマッパ４０５に分配できる。プリコーダ４０４の出力ｚは、レイヤマッパ４０３の出力ｙとＮ×Ｍのプリコーディング行列Ｗをかけて得ることができる。ここで、Ｎはアンテナポートの個数であり、Ｍはレイヤの個数である。
【０２７０】
リソースブロックマッパ４０５は、各アンテナポートに対する復調変調シンボルを送信のために割り当てられた仮想リソースブロック内にある適切なリソース要素にマッピングする。
【０２７１】
リソースブロックマッパ４０５は、複素変調シンボルを適切な副搬送波に割り当て、ユーザによって多重化できる。
【０２７２】
信号生成器４０６は、複素変調シンボルを特定変調方式、例えば、ＯＦＤＭ方式に変調して複素時間ドメイン（ｃｏｍｐｌｅｘ−ｖａｌｕｅｄ  ｔｉｍｅ  ｄｏｍａｉｎ）ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボル信号を生成することができる。信号生成器４０６は、アンテナ特定シンボルに対してＩＦＦＴ（Ｉｎｖｅｒｓｅ  Ｆａｓｔ  Ｆｏｕｒｉｅｒ  Ｔｒａｎｓｆｏｒｍ）を実行することができ、ＩＦＦＴが実行された時間ドメインシンボルにはＣＰ（Ｃｙｃｌｉｃ  Ｐｒｅｆｉｘ）が挿入されることができる。ＯＦＤＭシンボルは、デジタル−アナログ（ｄｉｇｉｔａｌ−ｔｏ−ａｎａｌｏｇ）変換、周波数アップ変換などを経て、各送信アンテナを介して受信装置に送信される。信号生成器４０６は、ＩＦＦＴモジュール及びＣＰ挿入機、ＤＡＣ（Ｄｉｇｉｔａｌ−ｔｏ−Ａｎａｌｏｇ  Ｃｏｎｖｅｒｔｅｒ）、周波数アップリンク変換器（ｆｒｅｑｕｅｎｃｙ  ｕｐｌｉｎｋ  ｃｏｎｖｅｒｔｅｒ）などを含むことができる。
【０２７３】
受信装置２０の信号処理過程は、送信機の信号処理過程の逆に構成されることができる。具体的に、 受信装置２０のプロセッサ２１は、外部でトランシーバ２３のアンテナポート（ら）を介して受信された無線信号に対する復号（ｄｅｃｏｄｉｎｇ）及び復調（ｄｅｍｏｄｕｌａｔｉｏｎ）を実行する。前記受信装置２０は、複数個の多重受信アンテナを含むことができ、受信アンテナを介して受信された信号の各々は、基底帯域信号に復元された後、多重化及びＭＩＭＯ復調化を経て送信装置１０が本来送信しようとしたデータ列に復元される。受信装置２０は、受信された信号を基底帯域信号に復元するための信号復元器、受信処理された信号を結合して多重化する多重化器、多重化された信号列を該当コードワードに復調するチャネル復調器を含むことができる。前記信号復元器及び多重化器、チャネル復調器は、これらの機能を遂行する統合された一つのモジュールまたは各々の独立したモジュールで構成されることができる。より具体的に、前記信号復元器は、アナログ信号をデジタル信号に変換するＡＤＣ（ａｎａｌｏｇ−ｔｏ−ｄｉｇｉｔａｌ  ｃｏｎｖｅｒｔｅｒ）、前記デジタル信号からＣＰを除去するＣＰ除去器、ＣＰが除去された信号にＦＦＴ（ｆａｓｔ  Ｆｏｕｒｉｅｒ  ｔｒａｎｓｆｏｒｍ）を適用して周波数ドメインシンボルを出力するＦＦＴモジュール、前記周波数ドメインシンボルをアンテナ特定シンボルに復元するリソース要素デマッパ（ｒｅｓｏｕｒｃｅ  ｅｌｅｍｅｎｔ  ｄｅｍａｐｐｅｒ）／等化器（ｅｑｕａｌｉｚｅｒ）を含むことができる。前記アンテナ特定シンボルは、多重化器により送信レイヤに復元され、前記送信レイヤは、チャネル復調器により送信装置が送信しようとしたコードワードに復元される。
【０２７４】
図１８は、本発明の具現例に係る無線通信装置の一例を示す。
【０２７５】
図１８を参照すると、無線通信装置、例えば、端末は、デジタル信号プロセッサ（Ｄｉｇｉｔａｌ  Ｓｉｇｎａｌ  Ｐｒｏｃｅｓｓｏｒ；ＤＳＰ）またはマイクロプロセッサなどのプロセッサ２３１０、トランシーバ２３３５、電力管理モジュール２３０５、アンテナ２３４０、バッテリ２３５５、ディスプレイ２３１５、キーパッド２３２０、ＧＰＳ（Ｇｌｏｂａｌ  Ｐｏｓｉｔｉｏｎｉｎｇ  Ｓｙｓｔｅｍ）チップ２３６０、センサー２３６５、メモリ２３３０、ＳＩＭ（Ｓｕｂｓｃｒｉｂｅｒ  Ｉｄｅｎｔｉｆｉｃａｔｉｏｎ  Ｍｏｄｕｌｅ）カード２３２５、スピーカ２３４５、マイクロホン２３５０のうち少なくとも一つを含むことができる。前記アンテナ及びプロセッサは、複数個である。
【０２７６】
プロセッサ２３１０は、本明細書で説明した機能、手順、方法を具現することができる。図１８のプロセッサ２３１０は、図１５のプロセッサ１１、２１である。
【０２７７】
メモリ２３３０は、プロセッサ２３１０と連結され、プロセッサの動作と関連した情報を格納する。メモリは、プロセッサの内部または外部に位置することができ、有線連結または無線連結のような多様な技術を介してプロセッサと連結されることができる。図１８のメモリ２３３０は、図１５のメモリ１２、２２である。
【０２７８】
ユーザは、キーパッド２３２０のボタンを押さえ、またはマイクロホン２３５０を利用して声を活性化させる等、多様な技術を利用して電話番号のような多様な種類の情報を入力することができる。プロセッサ２３１０は、ユーザの情報を受信してプロセシングし、入力された電話番号に電話を掛ける等、適切な機能を遂行することができる。一部シナリオでは、データが適切な機能を遂行するために、ＳＩＭカード２３２５またはメモリ２３３０から検索されることができる。一部シナリオでは、プロセッサ２３１０は、ユーザの便宜のために、ディスプレイ２３１５に多様な種類の情報とデータを表示することができる。
【０２７９】
トランシーバ２３３５は、プロセッサ２３１０と連結され、ＲＦ（Ｒａｄｉｏ  Ｆｒｅｑｕｅｎｃｙ）信号のような無線信号を送信及び／または受信する。プロセッサは、通信を開始し、または音声通信データなど、多様な種類の情報またはデータを含む無線信号を送信するためにトランシーバを制御することができる。トランシーバは、無線信号の送信及び受信のために送信機及び受信機を含む。アンテナ２３４０は、無線信号の送信及び受信を容易にすることができる。一部具現例において、トランシーバは、無線信号を受信すると、プロセッサによる処理のために信号を基底帯域周波数でフォワーディングして変換できる。処理された信号は、スピーカ２３４５を介して出力されるように可聴または読み取り可能な情報に変換される等、多様な技術により処理されることができる。図１８のトランシーバは、図１５のトランシーバ１３、２３である。
【０２８０】
図１８に示されていないが、カメラ、ＵＳＢ（Ｕｎｉｖｅｒｓａｌ  Ｓｅｒｉａｌ  Ｂｕｓ）ポートなど、多様な構成要素が端末に追加的に含まれることができる。例えば、カメラは、プロセッサ２３１０と連結されることができる。
【０２８１】
図１８は、端末に対する一つの具現例に過ぎず、具現例はこれに制限されるものではない。端末は、図１８の全ての要素を必須的に含むべきものではない。即ち、一部構成要素、例えば、キーパッド２３２０、ＧＰＳ（Ｇｌｏｂａｌ  Ｐｏｓｉｔｉｏｎｉｎｇ  Ｓｙｓｔｅｍ）チップ２３６０、センサー２３６５、ＳＩＭカード２３２５などは、必須な要素でないこともあり、この場合、端末に含まれないこともある。
【図１】
2020532250.tif 000026
【図２】
2020532250.tif 000027
【図３】
2020532250.tif 000028
【図４】
2020532250.tif 000029
【図５】
2020532250.tif 000030
【図６】
2020532250.tif 000031
【図７】
2020532250.tif 000032
【図８】
2020532250.tif 000033
【図９】
2020532250.tif 000034
【図１０】
2020532250.tif 000035
【図１１】
2020532250.tif 000036
【図１２】
2020532250.tif 000037
【図１３】
2020532250.tif 000038
【図１４】
2020532250.tif 000039
【図１５】
2020532250.tif 000040
【図１６】
2020532250.tif 000041
【図１７】
2020532250.tif 000042
【図１８】
2020532250.tif 000043
【国際調査報告】
2020532250.tif 000044
2020532250.tif 000045
2020532250.tif 000046
2020532250.tif 000047
2020532250.tif 000048
2020532250.tif 000049